(57)【要約】  本発明の実施例はデータ伝送方法、アクセスネットワーク装置及び端末装置を提供し、該方法は、アクセスネットワーク装置がコアネットワーク装置から送信された第一パケットを受信することと、アクセスネットワーク装置が第一パケットを受信する際の端末装置のあるべき状態を決定し、第一パケットを受信する際の端末装置のあるべき状態は少なくとも２つの状態のいずれか１つであり、少なくとも２つの状態は端末装置及びネットワーク側装置がデータを伝送する際の異なる状態であることと、アクセスネットワーク装置が端末装置にパケットを送信することと、を含む。本発明の実施例によって、端末装置はパケットにマッチする状態においてパケットを伝送することができる。
2019532527.tif 000002
【特許請求の範囲】
【請求項１】
データ伝送方法であって、
アクセスネットワーク装置はコアネットワーク装置から送信された第一パケットを受信することと、
前記アクセスネットワーク装置は前記第一パケットを受信する際の端末装置のあるべき状態を決定し、前記第一パケットを受信する際の前記端末装置のあるべき状態は少なくとも２つの状態のいずれか１つであり、前記少なくとも２つの状態は前記端末装置及びネットワーク側装置がデータを伝送する際の異なる状態であることと、
前記アクセスネットワーク装置は前記端末装置に前記第一パケットを送信することと、を含むことを特徴とするデータ伝送方法。
【請求項２】
前記少なくとも２つの状態は、第一状態と第二状態とを含み、
前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わなく、
前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御することを特徴とする請求項１に記載の方法。
【請求項３】
前記方法は、更に、
前記アクセスネットワーク装置が前記コアネットワーク装置から前記第一パケットに対応するベアラ情報又はデータストリーム情報を取得することを含み、
前記アクセスネットワーク装置が前記第一パケットを受信する際の端末装置のあるべき状態を決定することは、
前記アクセスネットワーク装置が前記ベアラ情報又はデータストリーム情報に基づいて、前記第一パケットを受信する際の前記端末装置のあるべき状態を決定することを含むことを特徴とする請求項１又は２に記載の方法。
【請求項４】
前記アクセスネットワーク装置が前記コアネットワーク装置から前記第一パケットに対応するベアラ情報又はデータストリーム情報を取得することは、
前記アクセスネットワーク装置が前記ベアラ又はデータストリームの第一指示情報を取得することを含み、前記第一指示情報は前記ベアラ又は前記データストリームに対応するパケットを伝送する際の前記端末装置のあるべき状態を指示することに用いられ、
前記アクセスネットワーク装置が前記ベアラ情報又はデータストリーム情報に基づいて前記第一パケットを受信する際の前記端末装置のあるべき状態を決定することは、
前記アクセスネットワーク装置が前記第一指示情報に基づいて、前記第一パケットを受信する際の端末装置のあるべき状態を決定することを含むことを特徴とする請求項３に記載の方法。
【請求項５】
前記アクセスネットワーク装置が前記コアネットワーク装置から前記第一パケットに対応するベアラ情報又はデータストリーム情報を取得することは、
前記アクセスネットワーク装置が前記コアネットワーク装置から前記第一パケットに対応するベアラ又はデータストリームの属性情報を取得することを含み、
前記アクセスネットワーク装置が前記ベアラ情報又はデータストリーム情報に基づいて前記第一パケットを受信する際の前記端末装置のあるべき状態を決定することは、
前記アクセスネットワーク装置が前記ベアラ又はデータストリームの属性情報に基づいて前記第一パケットを受信する際の前記端末装置のあるべき状態を判断することを含むことを特徴とする請求項３に記載の方法。
【請求項６】
前記アクセスネットワーク装置が前記ベアラ又はデータストリームの属性情報に基づいて前記第一パケットを受信する際の前記端末装置のあるべき状態を判断することは、
前記アクセスネットワーク装置がデータ遅延、パケットサイズ、パケット送信時間間隔のうちの少なくとも１つに基づいて前記第一パケットを受信する際の前記端末装置のあるべき状態を判断することを含むことを特徴とする請求項５に記載の方法。
【請求項７】
前記方法は、更に、
前記アクセスネットワーク装置が前記コアネットワーク装置から第二指示情報を取得することを含み、前記第二指示情報は前記第一パケットを受信する際の前記端末装置のあるべき状態を指示することに用いられ、
前記アクセスネットワーク装置が前記第一パケットを受信する際の端末装置のあるべき状態を決定することは、
前記アクセスネットワーク装置が前記第二指示情報に基づいて前記第一パケットを受信する際の前記端末装置のあるべき状態を決定することを含むことを特徴とする請求項１又は２に記載の方法。
【請求項８】
前記第一パケットに前記第一パケットの第三指示情報を含めており、前記第三指示情報は前記第一パケットを受信する際の前記端末装置のあるべき状態を指示することに用いられ、前記方法は、更に、
前記アクセスネットワーク装置が前記第一パケットから前記第一パケットの第三指示情報を取得することを含み、
前記アクセスネットワーク装置が前記第一パケットを受信する際の端末装置のあるべき状態を決定することは、
前記アクセスネットワーク装置が前記第三指示情報に基づいて前記第一パケットを受信する際の前記端末装置のあるべき状態を決定することを含むことを特徴とする請求項１又は２に記載の方法。
【請求項９】
前記第三指示情報を前記第一パケットのユーザプレーントンネリングプロトコルＧＴＰ−Ｕヘッダフィールドに含めていることを特徴とする請求項８に記載の方法。
【請求項１０】
前記アクセスネットワーク装置が前記第一パケットを受信する際の端末装置のあるべき状態を決定することは、
前記アクセスネットワーク装置が第二パケットに含まれている前記第一パケットの第四指示情報に基づいて前記第一パケットを受信する際の前記端末装置のあるべき状態を決定することを含み、前記第一パケットの第四指示情報は前記第一パケットを受信する際の前記端末装置のあるべき状態を指示することに用いられ、前記第二パケットは前記アクセスネットワーク装置が前記第一パケットを受信する前に受信したパケットであることを特徴とする請求項１又は２に記載の方法。
【請求項１１】
前記第二パケットには前記第二パケットからのＮ個のパケットの第四指示情報を含めており、前記Ｎ個のパケットは前記第二パケット及び前記第一パケットを含み、Ｎは１より大きい整数であることを特徴とする請求項１０に記載の方法。
【請求項１２】
前記第二パケットには前記第二パケットからシリアル番号Ｎまでの複数のパケットの第四指示情報を含めており、前記複数のパケットは前記第二パケット及び前記第一パケットを含み、Ｎは１より大きい整数であることを特徴とする請求項１０に記載の方法。
【請求項１３】
前記第四指示情報を前記第二パケットのＧＴＰ−Ｕヘッダフィールドに含めていることを特徴とする請求項１０〜１２のいずれか一項に記載の方法。
【請求項１４】
前記方法は、更に、
前記アクセスネットワーク装置が第五指示情報を前記端末装置に送信することを含み、前記第五指示情報は前記第一パケットを受信する際の前記端末装置のあるべき状態を指示することに用いられることを特徴とする請求項１〜１３のいずれか一項に記載の方法。
【請求項１５】
データ伝送方法であって、
端末装置はアクセスネットワーク装置にパケットを送信する際のあるべき状態を決定し、前記アクセスネットワーク装置にパケットを送信する際のあるべき状態は少なくとも２つの状態のいずれか１つであり、前記少なくとも２つの状態は前記端末装置及びネットワーク側装置がデータを伝送する際の異なる状態であることと、
前記端末装置は、前記パケットを送信する際のあるべき状態で、前記アクセスネットワーク装置に前記パケットを送信することと、を含むことを特徴とするデータ伝送方法。
【請求項１６】
前記少なくとも２つの状態は、第一状態と第二状態とを含み、
前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わなく、
前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御することを特徴とする請求項１５に記載の方法。
【請求項１７】
前記端末装置がパケットを送信する際のあるべき状態を決定することは、
前記端末装置が予め取得された前記パケットに対応するベアラ情報又はデータストリーム情報に基づいて前記パケットを送信する際のあるべき状態を決定することを含むことを特徴とする請求項１５又は１６に記載の方法。
【請求項１８】
前記端末装置が予め取得された前記パケットに対応するベアラ情報又はデータストリーム情報に基づいて前記第一パケットを送信する際のあるべき状態を決定することは、
前記端末装置が前記ベアラ又は前記データストリームの設定情報における第一指示情報に基づいて前記パケットを送信する際のあるべき状態を決定することを含み、前記第一指示情報は前記ベアラ又は前記データストリームに対応するパケットを伝送する際の前記端末装置のあるべき状態を指示することに用いられることを特徴とする請求項１７に記載の方法。
【請求項１９】
前記端末装置が予め設定されたベアラ情報又はデータストリーム情報に基づいて前記パケットを送信する際のあるべき状態を決定することは、
前記端末装置が前記ベアラ又は前記データストリームの属性情報に基づいて前記パケットを送信する際のあるべき状態を判断することを含むことを特徴とする請求項１７に記載の方法。
【請求項２０】
前記端末装置が前記ベアラ又は前記データストリームの属性情報に基づいて前記パケットを送信する際のあるべき状態を判断することは、
前記端末装置がデータ遅延、パケットサイズ、パケット送信時間間隔のうちの少なくとも１つに基づいて前記パケットを送信する際の前記端末装置のあるべき状態を判断することを含むことを特徴とする請求項１９に記載の方法。
【請求項２１】
アクセスネットワーク装置であって、
コアネットワーク装置から送信された第一パケットを受信するための受信モジュールと、
前記第一パケットを受信する際の端末装置のあるべき状態を決定することに用いられ、前記第一パケットを受信する際の前記端末装置のあるべき状態は少なくとも２つの状態のいずれか１つであり、前記少なくとも２つの状態は前記端末装置及びネットワーク側装置がデータを伝送する際の異なる状態である決定モジュールと、
前記端末装置に前記第一パケットを送信するための送信モジュールと、を含むことを特徴とするアクセスネットワーク装置。
【請求項２２】
前記少なくとも２つの状態は、第一状態と第二状態とを含み、
前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わなく、
前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御することを特徴とする請求項２１に記載のアクセスネットワーク装置。
【請求項２３】
前記アクセスネットワーク装置は、
前記第一パケットに対応するベアラ情報又はデータストリーム情報を取得するための取得モジュールを更に含み、
前記決定モジュールは前記ベアラ情報又はデータストリーム情報に基づいて前記第一パケットを受信する際の前記端末装置のあるべき状態を決定することに用いられることを特徴とする請求項２１又は２２に記載のアクセスネットワーク装置。
【請求項２４】
前記取得モジュールは、具体的に、
前記第一パケットに対応するベアラ又はデータストリームの第一指示情報を取得することに用いられ、前記第一指示情報は前記ベアラ又は前記データストリームに対応するパケットを伝送する際の前記端末装置のあるべき状態を指示することに用いられ、
前記決定モジュールは、具体的に、
前記第一指示情報に基づいて前記第一パケットを受信する際の端末装置のあるべき状態を決定することに用いられることを特徴とする請求項２３に記載のアクセスネットワーク装置。
【請求項２５】
前記取得モジュールは、具体的に、
前記コアネットワーク装置から前記第一パケットに対応するベアラ又はデータストリームの属性情報を取得することに用いられ、
前記決定モジュールは、具体的に、
前記ベアラ又はデータストリームの属性情報に基づいて前記第一パケットを受信する際の前記端末装置のあるべき状態を判断することに用いられることを特徴とする請求項２３に記載のアクセスネットワーク装置。
【請求項２６】
前記決定モジュールは、具体的に、
データ遅延、パケットサイズ、パケット送信時間間隔のうちの少なくとも１つに基づいて前記第一パケットを受信する際の前記端末装置のあるべき状態を判断することに用いられることを特徴とする請求項２５に記載のアクセスネットワーク装置。
【請求項２７】
前記アクセスネットワーク装置は、
前記コアネットワーク装置から第二指示情報を取得し、前記第二指示情報は前記第一パケットを受信する際の前記端末装置のあるべき状態を指示することに用いられる取得モジュールを更に含み、
前記決定モジュールは、具体的に、
前記第二指示情報に基づいて前記第一パケットを受信する際の前記端末装置のあるべき状態を決定することに用いられることを特徴とする請求項２１又は２２に記載のアクセスネットワーク装置。
【請求項２８】
前記第一パケットに前記第一パケットの第三指示情報を含めており、前記第三指示情報は前記第一パケットを受信する際の前記端末装置のあるべき状態を指示することに用いられ、前記アクセスネットワーク装置は、
前記第一パケットから前記第一パケットの第三指示情報を取得するための取得モジュールを更に含み、
前記決定モジュールは、具体的に、
前記第三指示情報に基づいて前記第一パケットを受信する際の前記端末装置のあるべき状態を決定することに用いられることを特徴とする請求項２１又は２２に記載のアクセスネットワーク装置。
【請求項２９】
前記第三指示情報を前記第一パケットのユーザプレーントンネリングプロトコルＧＴＰ−Ｕヘッダフィールドに含めていることを特徴とする請求項２８に記載のアクセスネットワーク装置。
【請求項３０】
前記決定モジュールは、具体的に、
前記第二パケットに含まれている前記第一パケットの第四指示情報に基づいて前記第一パケットを受信する際の前記端末装置のあるべき状態を決定することに用いられ、前記第一パケットの第四指示情報は前記第一パケットを受信する際の前記端末装置のあるべき状態を指示することに用いられ、前記第二パケットは前記アクセスネットワーク装置が前記第一パケットを受信する前に受信したパケットであることを特徴とする請求項２１又は２２に記載のアクセスネットワーク装置。
【請求項３１】
前記第二パケットには前記第二パケットからのＮ個のパケットの第四指示情報を含めており、前記Ｎ個のパケットは前記第二パケット及び前記第一パケットを含み、Ｎは１より大きい整数であることを特徴とする請求項３０に記載のアクセスネットワーク装置。
【請求項３２】
前記第二パケットには前記第二パケットからシリアル番号Ｎまでの複数のパケットの第四指示情報を含めており、前記複数のパケットは前記第二パケット及び前記第一パケットを含み、Ｎは１より大きい整数であることを特徴とする請求項３０に記載のアクセスネットワーク装置。
【請求項３３】
前記第四指示情報を前記第二パケットのＧＴＰ−Ｕヘッダフィールドに含めていることを特徴とする請求項３０〜３２のいずれか一項に記載のアクセスネットワーク装置。
【請求項３４】
前記送信モジュールは更に前記第一パケットを受信する際の前記端末装置のあるべき状態を指示するための第五指示情報を前記端末装置に送信することに用いられることを特徴とする請求項２１〜３３のいずれか一項に記載のアクセスネットワーク装置。
【請求項３５】
端末装置であって、
アクセスネットワーク装置にパケットを送信する際の前記端末装置のあるべき状態を決定することに用いられ、前記アクセスネットワーク装置にパケットを送信する際のあるべき状態は少なくとも２つの状態のいずれか１つであり、前記少なくとも２つの状態は前記端末装置及びネットワーク側装置がデータを伝送する際の異なる状態である決定モジュールと、
前記パケットを送信する際のあるべき状態において前記アクセスネットワーク装置に前記パケットを送信するための送信モジュールと、を含むことを特徴とする端末装置。
【請求項３６】
前記少なくとも２つの状態は、第一状態と第二状態とを含み、
前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わなく、
前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御することを特徴とする請求項３５に記載の端末装置。
【請求項３７】
前記決定モジュールは、具体的に、
予め取得された前記パケットに対応するベアラ情報又はデータストリーム情報に基づいて前記パケットを送信する際のあるべき状態を決定することに用いられることを特徴とする請求項３５又は３６に記載の端末装置。
【請求項３８】
前記決定モジュールは、具体的に、
前記ベアラ又は前記データストリームの設定情報における第一指示情報に基づいて前記パケットを送信する際の前記端末装置のあるべき状態を決定することに用いられ、前記第一指示情報は前記ベアラ又は前記データストリームに対応するパケットを伝送する際の前記端末装置のあるべき状態を指示することに用いられることを特徴とする請求項３７に記載の端末装置。
【請求項３９】
前記決定モジュールは、具体的に、
前記ベアラ又は前記データストリームの属性情報に基づいて前記パケットを送信する際のあるべき状態を判断することに用いられることを特徴とする請求項３７に記載の端末装置。
【請求項４０】
前記決定モジュールは、具体的に、
データ遅延、パケットサイズ、パケット送信時間間隔のうちの少なくとも１つに基づいて前記パケットを送信する際の前記端末装置のあるべき状態を判断することに用いられることを特徴とする請求項３９に記載の端末装置。
【発明の詳細な説明】
【技術分野】
【０００１】
本発明は、通信分野に関し、より具体的に、データ伝送方法、アクセスネットワーク装置及び端末装置に関する。
【背景技術】
【０００２】
無線通信システムにおいて、端末装置にはアイドルモード（つまり、通常の待機状態）及び接続モードの２つの基本モードがある。端末装置が接続モードにあるとき、該端末装置と発展型汎用地上無線アクセスネットワーク（Ｔｅｒｒｅｓｔｒｉａｌ  Ｒａｄｉｏ  Ａｃｃｅｓｓ  Ｎｅｔｗｏｒｋ、「ＵＴＲＡＮ」と略称される）とは無線リソース制御（Ｒａｄｉｏ  Ｒｅｓｏｕｒｃｅ  Ｃｏｎｔｒｏｌ、「ＲＲＣ」と略称される）接続を有する。
【発明の概要】
【発明が解決しようとする課題】
【０００３】
端末装置がアイドルモードにあるとき、端末装置がデータを受信又は送信する必要がある場合、端末装置はアイドルモードから接続モードに変換してから、データ伝送を行う必要があり、データ伝送を終了した後、端末装置は接続モードからアイドルモードに変換してもよい。しかしながら、端末装置がアイドルモードと接続モードとの間に頻繁に変換すると、端末装置のシグナリングオーバーヘッドが増加し、最終的に端末装置の消費電力が増加してしまう。
【課題を解決するための手段】
【０００４】
本発明は端末装置がパケットにマッチする状態においてパケットを伝送することができるデータ伝送方法、アクセスネットワーク装置及び端末装置を提供する。
【０００５】
第一態様においてデータ伝送方法を提供し、アクセスネットワーク装置はコアネットワーク装置から送信された第一パケットを受信することと、前記アクセスネットワーク装置は前記第一パケットを受信する際の端末装置のあるべき状態を決定し、前記第一パケットを受信する際の前記端末装置のあるべき状態は少なくとも２つの状態のいずれか１つであり、前記少なくとも２つの状態は前記端末装置及びネットワーク側装置がデータを伝送する際の異なる状態であることと、前記アクセスネットワーク装置は前記端末装置に前記第一パケットを送信することと、を含む。
【０００６】
アクセスネットワーク装置が第一パケットを受信する際の端末装置のあるべき状態を決定することにより、端末装置は第一パケットにマッチする状態で第一パケットを受信することができる。
【０００７】
具体的には、上記第一パケットがより小さい場合、アクセスネットワーク装置は端末装置が第一状態（該第一状態が非アクティブ状態であってもよい）において該第一パケットを受信すると決定することができ、第一パケットがより大きい場合、アクセスネットワーク装置は端末装置が第二状態（該第二状態がアクティブ状態であってもよい）において該第一パケットを受信すると決定することができる。ところが、従来技術において端末装置がパケットの違いに応じて対応する状態を用いてパケットを受信すべきことを考慮せず、このため、本発明の実施例のデータ伝送方法はパケットにマッチする状態を選択してパケットを受信することができ、データ伝送を効率よく行うことができる。
【０００８】
第一態様を参照して、第一態様の第一実現方式では、前記少なくとも２つの状態は、第一状態と第二状態とを含む。前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わない。前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御する。
【０００９】
第一態様又は第一態様の第一実現方式を参照して、第一態様の第二実現方式では、前記方法は更に前記アクセスネットワーク装置が前記コアネットワーク装置から前記第一パケットに対応するベアラ情報又はデータストリーム情報を取得することを含み、前記アクセスネットワーク装置が前記第一パケットを受信する際の端末装置のあるべき状態を決定することは、前記アクセスネットワーク装置が前記ベアラ情報又はデータストリーム情報に基づいて前記第一パケットを受信する際の前記端末装置のあるべき状態を決定することを含む。上記ベアラ情報又はデータストリーム情報は、コアネットワークがベアラ又はデータストリームを確立する際の設定情報であってもよいし、ベアラ又はデータストリーム自体のある属性情報であってもよく、該属性情報はベアラ又はデータストリームのサービス品質ＱｏＳ情報を含んでもよい。
【００１０】
アクセスネットワーク装置はベアラ情報又はデータストリーム情報によってパケットを受信する際の端末装置のあるべき状態を決定することができ、データ伝送を行うことに役立つ。
【００１１】
第一態様の第二実現方式を参照して、第一態様の第三実現方式では、前記アクセスネットワーク装置が前記コアネットワーク装置から前記第一パケットに対応するベアラ情報又はデータストリーム情報を取得することは、前記アクセスネットワーク装置が前記ベアラ又はデータストリームの第一指示情報を取得することを含み、前記第一指示情報は前記ベアラ又は前記データストリームに対応するパケットを伝送する際の前記端末装置のあるべき状態を指示することに用いられ、前記アクセスネットワーク装置が前記ベアラ情報又はデータストリーム情報に基づいて前記第一パケットを受信する際の前記端末装置のあるべき状態を決定することは、前記アクセスネットワーク装置が前記第一指示情報に基づいて前記第一パケットを受信する際の端末装置のあるべき状態を決定することを含む。
【００１２】
第一指示情報によって前記第一パケットを受信する際の端末装置のあるべき状態を直接指示することにより、アクセスネットワーク装置は第一指示情報を取得した後、該第一指示情報に基づいてパケットを受信する際の端末装置のあるべき状態を直接決定することができ、データ伝送を効率よく行うことができる。上記第一指示情報をベアラ又はデータストリームの設定情報に含めてもよいと理解すべきである。
【００１３】
第一態様の第二実現方式を参照して、第一態様の第四実現方式では、前記アクセスネットワーク装置が前記コアネットワーク装置から前記第一パケットに対応するベアラ情報又はデータストリーム情報を取得することは、前記アクセスネットワーク装置が前記コアネットワーク装置から前記第一パケットに対応するベアラ又はデータストリームの属性情報を取得することを含み、前記アクセスネットワーク装置が前記ベアラ情報又はデータストリーム情報に基づいて前記第一パケットを受信する際の前記端末装置のあるべき状態を決定することは、前記アクセスネットワーク装置が前記ベアラ又はデータストリームの属性情報に基づいて前記第一パケットを受信する際の前記端末装置のあるべき状態を判断することを含む。
【００１４】
アクセスネットワーク装置は、第一指示情報によって第一パケットを受信する際の端末装置のあるべき状態を直接決定する以外、更に第一パケットに対応するベアラ又はデータストリームの属性情報に基づいて第一パケットを受信する際の端末装置のあるべき状態を自己判断することができる。
【００１５】
第一態様の第四実現方式を参照して、第一態様の第五実現方式では、前記アクセスネットワーク装置が前記ベアラ又はデータストリームの属性情報に基づいて前記第一パケットを受信する際の前記端末装置のあるべき状態を判断することは、前記アクセスネットワーク装置がデータ遅延、パケットサイズ、パケット送信時間間隔のうちの少なくとも１つに基づいて前記第一パケットを受信する際の前記端末装置のあるべき状態を判断することを含む。
【００１６】
第一態様又は第一態様の第一実現方式を参照して、第一態様の第六実現方式では、前記方法は更に、前記アクセスネットワーク装置が前記コアネットワーク装置から第二指示情報を取得することを含み、前記第二指示情報は前記第一パケットを受信する際の前記端末装置のあるべき状態を指示することに用いられ、前記アクセスネットワーク装置が前記第一パケットを受信する際の端末装置のあるべき状態を決定することは、前記アクセスネットワーク装置が前記第二指示情報に基づいて前記第一パケットを受信する際の前記端末装置のあるべき状態を決定することを含む。
【００１７】
アクセスネットワーク装置は、第一パケットに対応するベアラ情報又はデータストリーム情報に基づいてパケットを受信する際の端末装置のあるべき状態を決定することができるだけでなく、コアネットワーク装置から直接受信される独立した第二指示情報に基づいて第一パケットを受信する際の端末装置のあるべき状態を決定することもできると理解すべきである。
【００１８】
上記第二指示情報は、コアネットワーク装置がアクセスネットワーク装置に第一パケットを送信する前に送信した情報であってもよい。
【００１９】
第一態様又は第一態様の第一実現方式を参照して、第一態様の第七実現方式では、前記第一パケットには前記第一パケットの第三指示情報を含めており、前記第三指示情報は前記第一パケットを受信する際の前記端末装置のあるべき状態を指示することに用いられ、前記方法は更に、前記アクセスネットワーク装置が前記第一パケットから前記第一パケットの第三指示情報を取得することを含み、前記アクセスネットワーク装置が前記第一パケットを受信する際の端末装置のあるべき状態を決定することは、前記アクセスネットワーク装置が前記第三指示情報に基づいて前記第一パケットを受信する際の前記端末装置のあるべき状態を決定することを含む。
【００２０】
上記第三指示情報を第一パケットに含めており、上記第二指示情報はコアネットワーク装置がアクセスネットワーク装置に送信した１つの独立した情報であってもよく、上記第一指示情報を第一パケットに対応するベアラ又はデータストリームの設定情報に含めてもよい。
【００２１】
第一態様の第七実現方式を参照して、第一態様の第八実現方式では、前記第三指示情報を前記第一パケットのユーザプレーントンネリングプロトコルＧＴＰ−Ｕヘッダフィールドに含めている。
【００２２】
第一態様又は第一態様の第一実現方式を参照して、第一態様の第九実現方式では、前記アクセスネットワーク装置が前記第一パケットを受信する際の端末装置のあるべき状態を決定することは、前記アクセスネットワーク装置が前記第二パケットに含まれている前記第一パケットの第四指示情報に基づいて前記第一パケットを受信する際の前記端末装置のあるべき状態を決定することを含み、前記第一パケットの第四指示情報は前記第一パケットを受信する際の前記端末装置のあるべき状態を指示することに用いられ、前記第二パケットは前記アクセスネットワーク装置が前記第一パケットを受信する前に受信したパケットである。
【００２３】
第一パケットの第四指示情報をほかのパケットに含めてもよく、このように、アクセスネットワーク装置はほかのパケットから第一パケットの第四指示情報を取得することができる。
【００２４】
第一態様の第九実現方式を参照して、第一態様の第十実現方式では、前記第二パケットには前記第二パケットからのＮ個のパケットの第四指示情報を含めており、前記Ｎ個のパケットは前記第二パケット及び前記第一パケットを含み、Ｎは１より大きい整数である。
【００２５】
選択的に、前記アクセスネットワーク装置が端末装置に前記第二パケットを送信することにより、前記端末装置は前記第二パケットに含まれているＮ個のパケットの第四指示情報に基づいて第一パケットを受信する際のあるべき状態を決定する。
【００２６】
具体的に、端末装置はアクセスネットワーク装置の第二パケットを受信した後、第二パケットに含まれているＮ個のパケットの第四指示情報から第一パケットの第四指示情報を取得することができ、このように、第一パケットの第四指示情報に基づいて第一パケットを受信する際の端末装置のあるべき状態を決定することができる。
【００２７】
第一態様の第九実現方式を参照して、第一態様の第十一実現方式では、前記第二パケットには前記第二パケットからシリアル番号Ｎまでの複数のパケットの第四指示情報を含めており、前記複数のパケットは前記第二パケット及び前記第一パケットを含み、Ｎは１より大きい整数である。
【００２８】
選択的に、前記アクセスネットワーク装置が端末装置に前記第二パケットを送信することにより、前記端末装置が前記第二パケットに含まれている複数のパケットの第四指示情報に基づいて第一パケットを受信する際のあるべき状態を決定する。
【００２９】
具体的に、端末装置はアクセスネットワーク装置の第二パケットを受信した後、第二パケットに含まれている複数のパケットの第四指示情報から第一パケットの第四指示情報を取得することができ、このように、第一パケットの第四指示情報に基づいて第一パケットを受信する際の端末装置のあるべき状態を決定することができる。
【００３０】
第一態様の第九実現方式〜第十一実現方式のいずれか１つを参照して、第一態様の第十二実現方式では、前記第四指示情報を前記第二パケットのＧＴＰ−Ｕヘッダフィールドに含めている。
【００３１】
第一態様及び第一態様の第一実現方式〜第十二実現方式のいずれか１つを参照して、第一態様の第十三実現方式では、前記方法は更に、前記アクセスネットワーク装置が第五指示情報を前記端末装置に送信することを含み、前記第五指示情報は前記第一パケットを受信する際の前記端末装置のあるべき状態を指示することに用いられ。
【００３２】
アクセスネットワーク装置が第五指示情報によって端末装置に通知することにより、端末装置は対応する状態でパケットを受信することができる。
【００３３】
アクセスネットワーク装置は、端末装置にパケットを送信する前に端末装置に該第五指示情報を送信してもよいし、パケットを送信すると同時に端末装置に第五指示情報を送信してもよい。
【００３４】
第二態様においてデータ伝送方法を提供し、端末装置はアクセスネットワーク装置にパケットを送信する際のあるべき状態を決定し、前記アクセスネットワーク装置にパケットを送信する際のあるべき状態は少なくとも２つの状態のいずれか１つであり、前記少なくとも２つの状態は前記端末装置及びネットワーク側装置がデータを伝送する際の異なる状態であることと、前記端末装置は、前記パケットを送信する際のあるべき状態で、前記アクセスネットワーク装置に前記パケットを送信することと、を含む。
【００３５】
本発明の実施例において、端末装置がパケットを送信する前に該パケットを送信する際のあるべき状態を決定することにより、端末装置はパケットにマッチする状態で該パケットを送信することができる。
【００３６】
第二態様を参照して、第二態様の第一実現方式では、前記少なくとも２つの状態は、第一状態と第二状態とを含む。前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わない。前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御する。
【００３７】
具体的には、上記パケットがより小さい場合、端末装置は第一状態（該第一状態が非アクティブ状態であってもよい）で該パケットを送信すると決定することができ、パケットがより大きい場合、端末装置は第二状態（該第二状態がアクティブ状態であってもよい）で該パケットを送信すると決定することができる。ところが、従来技術においてパケットの違いに応じて対応する状態を用いてパケットを送信すべきことを考慮せず、このため、本発明の実施例のデータ伝送方法はパケットにマッチする状態を選択してパケットを送信することができ、データ伝送を効率よく行うことができる。
【００３８】
第二態様又は第二態様の第一実現方式を参照して、第二態様の第二実現方式では、前記端末装置がパケットを送信する際のあるべき状態を決定することは、前記端末装置が予め取得された前記パケットに対応するベアラ情報又はデータストリーム情報に基づいて前記パケットを送信する際のあるべき状態を決定することを含む。
【００３９】
端末装置はアクセスネットワーク装置又はコアネットワーク装置とのインタラクションの過程において、該パケットに対応するベアラ情報又はデータストリーム情報を取得することができる。
【００４０】
第二態様の第二実現方式を参照して、第二態様の第三実現方式では、前記端末装置が予め取得された前記パケットに対応するベアラ情報又はデータストリーム情報に基づいて前記パケットを送信する際のあるべき状態を決定することは、前記端末装置が前記ベアラ又は前記データストリームの設定情報における第一指示情報に基づいて前記パケットを送信する際のあるべき状態を決定することを含み、前記第一指示情報は前記ベアラ又は前記データストリームに対応するパケットを伝送する際の前記端末装置のあるべき状態を指示することに用いられる。
【００４１】
端末装置は予め取得された第一指示情報によって、パケットを送信する際の端末装置のあるべき状態を直接決定することができる。
【００４２】
第二態様の第二実現方式を参照して、第二態様の第四実現方式では、前記端末装置が予め設定されたベアラ情報又はデータストリーム情報に基づいて前記パケットを送信する際のあるべき状態を決定することは、前記端末装置が前記ベアラ又は前記データストリームの属性情報に基づいて前記パケットを送信する際のあるべき状態を判断することを含む。
【００４３】
端末装置は予め取得されたベアラ又はデータストリームの設定情報における第一指示情報に基づいてパケットを送信する際の端末装置のあるべき状態を直接決定することができるだけでなく、パケットに対応するベアラ又はデータストリーム自体の属性情報に基づいてパケットを送信する際の端末装置のあるべき状態を自己判断することもできる。
【００４４】
第二態様の第四実現方式を参照して、第二態様の第五実現方式では、前記端末装置が前記ベアラ又は前記データストリームの属性情報に基づいて前記パケットを送信する際のあるべき状態を判断することは、前記端末装置がデータ遅延、パケットサイズ、パケット送信時間間隔のうちの少なくとも１つに基づいて前記パケットを送信する際の前記端末装置のあるべき状態を判断することを含む。
【００４５】
第三態様においてアクセスネットワーク装置を提供し、前記アクセスネットワーク装置は第一態様の方法を実行するためのモジュールを含む。
【００４６】
第四態様において端末装置を提供し、前記端末装置は第二態様の方法を実行するためのモジュールを含む。
【００４７】
第五態様においてアクセスネットワーク装置を提供し、プログラムを記憶するためのメモリと、送受信機と、プログラムを実行することに用いられ、前記プログラムが実行されるとき、前記送受信機に基づいて前記第一態様の方法を実行するプロセッサと、を備える。
【００４８】
第六態様において端末装置を提供し、プログラムを記憶するためのメモリと、送受信機と、プログラムを実行することに用いられ、前記プログラムが実行されるとき、前記送受信機に基づいて前記第二態様の方法を実行するプロセッサと、を備える。
【００４９】
第七態様においてコンピュータ可読媒体を提供し、前記コンピュータ可読媒体は端末装置によって実行するためのプログラムコードを記憶することに用いられ、前記プログラムコードは第一態様の方法を実行するための命令を含む。
【００５０】
第八態様においてコンピュータ可読媒体を提供し、前記コンピュータ可読媒体はネットワーク側装置によって実行するためのプログラムコードを記憶することに用いられ、前記プログラムコードは第二態様の方法を実行するための命令を含む。
【図面の簡単な説明】
【００５１】
本発明の実施例の技術案をより明確に説明するために、以下に実施例又は従来技術の記述において必要な図面を簡単に説明を行うが、明らかに、以下に記載する図面は単に本発明の実施例の一例であって、当業者であれば、創造的な労力を払わない前提で、これらの図面に基づいてほかの図面を得ることができる。
【００５２】
【図１】本発明の実施例のデータ伝送方法の模式的なフローチャートである。
【図２】本発明の実施例のデータ伝送方法の模式的なフローチャートである。
【図３】本発明の実施例のアクセスネットワーク装置の模式的なブロック図である。
【図４】本発明の実施例の端末装置の模式的なブロック図である。
【図５】本発明の実施例のアクセスネットワーク装置の模式的なブロック図である。
【図６】本発明の実施例の端末装置の模式的なブロック図である。
【発明を実施するための形態】
【００５３】
以下に本発明の実施例における図面を参照しながら、本発明の実施例の技術案を明確且つ完全に説明し、明らかに、説明される実施例は本発明の実施例の一部であり、すべての実施例ではない。本発明の実施例に基づき、当業者が創造的な労働を払わずに得られたほかの実施例は、いずれも本発明の保護範囲に属する。
【００５４】
本発明の実施例の技術案は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称される）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称される）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称される）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称される）、ロングタームエボリューション（Ｌｏｎｇ  Ｔｅｒｍ  Ｅｖｏｌｕｔｉｏｎ、「ＬＴＥ」と略称される）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称される）システム、ＬＴＥ時分割複信（Ｔｉｍｅ  Ｄｉｖｉｓｉｏｎ  Ｄｕｐｌｅｘ、「ＴＤＤ」と略称される）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称される）又はワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称される）通信システム、及び将来出現可能な通信システム等に応用できる。
【００５５】
本発明の実施例において、端末装置はユーザ装置（Ｕｓｅｒ  Ｅｑｕｉｐｍｅｎｔ、「ＵＥ」と略称される）、端末装置、移動局（Ｍｏｂｉｌｅ  Ｓｔａｔｉｏｎ、「ＭＳ」と略称される）、モバイル端末（Ｍｏｂｉｌｅ  Ｔｅｒｍｉｎａｌ）又は将来５Ｇネットワークにおける端末装置等と称されてもよく、該端末装置は無線アクセスネットワーク（Ｒａｄｉｏ  Ａｃｃｅｓｓ  Ｎｅｔｗｏｒｋ、「ＲＡＮ」と略称される）経由で１つ又は複数のコアネットワークと通信することができ、例えば、端末は携帯電話（「セルラー」電話とも称される）又はモバイル端末を有するコンピュータ等であってもよいし、携帯型、小型、手持ち型、コンピュータが内蔵された又は車載のモバイルデバイスであってもよく、それらは無線アクセスネットワークと音声及び／又はデータを交換する。
【００５６】
本発明の実施例におけるアクセスネットワーク装置はモバイルデバイスと通信することができ、アクセスネットワーク装置はグローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称される）又は符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称される）における基地局（Ｂａｓｅ  Ｔｒａｎｓｃｅｉｖｅｒ  Ｓｔａｔｉｏｎ、「ＢＴＳ」と略称される）であってもよいし、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称される）における基地局（ＮｏｄｅＢ、「ＮＢ」と略称される）であってもよく、更にロングタームエボリューション（Ｌｏｎｇ  Ｔｅｒｍ  Ｅｖｏｌｕｔｉｏｎ、「ＬＴＥ」と略称される）における発展型基地局（Ｅｖｏｌｕｔｉｏｎａｌ  Ｎｏｄｅ  Ｂ、「ｅＮＢ」又は「ｅＮｏｄｅＢ」と略称される）、又は中継局又はアクセスポイント、又は車載機器、ウェアラブルデバイス、及び将来５Ｇネットワークにおけるアクセスネットワーク装置であってもよい。
【００５７】
コアネットワーク装置はモビリティ管理エンティティ（Ｍｏｂｉｌｉｔｙ  Ｍａｎａｇｅｍｅｎｔ  Ｅｎｔｉｔｙ、「ＭＭＥ」と略称される）であってもよいし、サービングゲートウェイ（Ｓｅｒｖｉｎｇ  Ｇａｔｅｗａｙ、「Ｓ−ＧＷ」と略称される）又はパケットデータゲートウェイ（ＰＤＮ  Ｇａｔｅｗａｙ、「Ｐ−ＧＷ」と略称される）であってもよく、本発明は制限しない。
【００５８】
本発明の実施例を理解するために、以下、まず端末装置のアイドルモード及び接続モードを説明する。
【００５９】
アイドルモードには１つのみのアイドル（Ｉｄｌｅ）状態がある。Ｉｄｌｅ状態において、ＵＥのすべての接続はアクセス層でいずれも遮断される。ＵＴＲＡＮではアイドルモードにあるＵＥのためにコンテクストを確立せず、１つの特定のＵＥをアドレッシングするために、１つのセル内にすべてのＵＥ又は同じページング期間をモニタリングする複数のＵＥにページングメッセージを送信するしかない。
【００６０】
接続モードにはＣＥＬＬ−ＰＣＨ（セルページングチャネル状態）、ＵＲＡ−ＰＣＨ（ＵＴＲＡＮ登録エリアページングチャネル状態）、ＣＥＬＬ−ＦＡＣＨ（セル下りアクセスチャネル状態）及びＣＥＬＬ−ＤＣＨ（セル専用チャネル状態）の４つの状態がある。ＣＥＬＬ−ＤＣＨはハイレベルシグナリング接続の接続モードであり、「アクティブ状態」と称されてもよい。
【００６１】
図１は本発明の実施例のデータ伝送方法の模式的なフローチャートである。図１に示す方法はステップ１１０〜１３０を含む。
【００６２】
１１０、アクセスネットワーク装置はコアネットワーク装置から送信された第一パケットを受信する。
【００６３】
上記第一パケットはコア装置が端末装置に送信したダウンリンクデータのパケットであってもよい。
【００６４】
１２０、アクセスネットワーク装置は第一パケットを受信する際の端末装置のあるべき状態を決定し、第一パケットを受信する際の端末装置のあるべき状態は少なくとも２つの状態のいずれか１つであり、該少なくとも２つの状態は端末装置及びネットワーク側装置がデータを伝送する際の異なる状態である。
【００６５】
上記少なくとも２つの状態は端末装置が接続モードにあるとき、ネットワーク側とデータ伝送を行う際の２つの状態であってもよく、具体的に、上記少なくとも２つの状態は端末装置及びネットワーク側装置が無線リソース制御（Ｒａｄｉｏ Ｒｅｓｏｕｒｃｅ Ｃｏｎｔｒｏｌ、ＲＲＣ）接続にある際の異なる状態であってもよいと理解すべきである。
【００６６】
選択的に、上記少なくとも２つの状態は第一状態及び第二状態を含み、第一状態及び第二状態は端末装置が接続モードにある際の２つの異なる状態であり、第一状態において、端末装置及びアクセスネットワーク装置が接続されるように維持し、端末装置及びアクセスネットワーク装置には端末装置のコンテクスト情報を記憶し、端末装置がアクセスネットワーク装置の属するアクセスネットワーク装置群内のすべてのアクセスネットワーク装置のカバレッジ範囲内に移動する際に、セル再選択プロセスを実行し、アクセスネットワーク装置のハンドオーバーを行わず、第二状態において、端末装置がアクセスネットワーク装置の属するアクセスネットワーク装置群内のすべてのアクセスネットワーク装置のカバレッジ範囲内に移動する際に、アクセスネットワーク装置は端末装置がアクセスネットワーク装置のハンドオーバーを行うように制御する。
【００６７】
つまり、第一状態において、端末装置はアクセスネットワーク装置のハンドオーバーを行わず、アクセスネットワーク装置群内のすべてのアクセスネットワーク装置及びコアネットワーク装置は該端末装置の移動を感知できず、ネットワーク側装置にとって、端末装置の移動が把握不可能である。
【００６８】
第二状態において、端末装置が１つのセルからほかのセルまで移動する際に、該端末装置の属するアクセスネットワーク装置は端末装置がアクセスネットワーク装置のハンドオーバーを行うように制御し、このような場合、アクセスネットワーク装置は端末装置が異なるアクセスネットワーク装置のカバレッジ範囲内に移動することを感知できる。
【００６９】
具体的に、上記第一状態は非アクティブ状態であってもよく、第二状態はアクティブ状態であってもよく、本発明の実施例は第一状態及び第二状態の具体的な名称を制限しない。
【００７０】
１３０、アクセスネットワーク装置は端末装置に第一パケットを送信する。
【００７１】
本発明の実施例において、アクセスネットワーク装置が第一パケットを受信する際の端末装置のあるべき状態を決定することにより、端末装置は第一パケットにマッチする状態において第一パケットを受信することができる。
【００７２】
具体的には、上記第一パケットがより小さい場合（パケットサイズがより小さいことを意味する）、アクセスネットワーク装置は端末装置が第一状態（該第一状態が非アクティブ状態であってもよい）で第一パケットを受信すると決定することができ、第一パケットがより大きい場合、アクセスネットワーク装置は端末装置が第二状態（該第二状態がアクティブ状態であってもよい）で第一パケットを受信すると決定することができる。ところが、従来技術においてパケットの違いに応じて異なる状態を用いてパケットを受信すべきことを考慮せず、このため、本発明の実施例のデータ伝送方法は端末装置がどのような状態においてパケットを受信するかを決定することができ、データ伝送を効率よく行うことができる。
【００７３】
選択的に、一実施例として、アクセスネットワーク装置がパケットを受信する際の端末装置のあるべき状態を決定することは、アクセスネットワーク装置がコアネットワーク装置の補助情報を取得することと、アクセスネットワーク装置がコアネットワーク装置の補助情報に基づいてパケットを受信する際の端末装置のあるべき状態を決定することと、を含む。
【００７４】
上記コアネットワーク装置の補助情報は端末装置及びネットワーク側装置に確立したベアラ又はデータストリームの関連情報を含んでもよく、具体的に、上記コアネットワーク装置の補助情報はベアラ情報及びデータストリーム情報を含んでもよい。
【００７５】
選択的に、一実施例として、アクセスネットワーク装置が第一パケットを受信する際の端末装置のあるべき状態を決定することは、アクセスネットワーク装置がコアネットワーク装置から第一パケットに対応するベアラ情報又はデータストリーム情報を取得することと、アクセスネットワーク装置が第一パケットに対応するベアラ情報又はデータストリーム情報に基づいて第一パケットを受信する際の端末装置のあるべき状態を決定することと、を含む。
【００７６】
上記第一パケットに対応するベアラ情報又はデータストリーム情報は、コアネットワーク装置がベアラ又はデータストリームを確立する際の設定情報であってもよい。
【００７７】
選択的に、一実施例として、アクセスネットワーク装置が第一パケットを受信する際の端末装置のあるべき状態を決定することは、アクセスネットワーク装置がベアラ又はデータストリームの第一指示情報を取得し、該第一指示情報が該ベアラ又はデータストリームに対応するパケットを受信する際の端末装置のあるべき状態を指示することに用いられることと、アクセスネットワーク装置が該第一指示情報に基づいて第一パケットを受信する際の端末装置のあるべき状態を決定することと、を含む。
【００７８】
上記第一指示情報をベアラ又はデータストリームの設定情報のあるアイドルフィールドに含めてもよいと理解すべきである。また、上記第一指示情報はベアラ又はデータストリームに対応する複数のパケットを受信する際の端末装置のあるべき状態を指示することができ、このように、端末装置は該第一指示情報に基づいて現在のパケットを受信する際の端末装置のあるべき状態を決定することができる。
【００７９】
具体的には、ここでベアラ又はデータストリームの設定情報によってパケットを受信する際の端末装置のあるべき状態を直接指示してもよく、つまり、コアネットワーク装置がベアラ又はデータストリームを設定する際に既に上記ベアラ又はデータストリームに対応するパケットを受信する際の端末装置のあるべき状態を決定し、且つ関連する指示情報を設定情報に含め、このように、アクセスネットワーク装置は該設定情報に基づいてパケットを受信する際の端末装置のあるべき状態を直接判断することができる。ここの設定情報はベアラ又はデータストリームを確立する際にコアネットワーク装置が該ベアラ又はデータストリームのために設定した情報であってもよく、ここの設定情報はベアラ又はデータストリーム自体の属性情報、例えばパケットサイズ等を含んでもよいと理解すべきである。
【００８０】
選択的に、一実施例として、アクセスネットワーク装置が前記第一パケットを受信する際の端末装置のあるべき状態を決定することは、アクセスネットワーク装置がコアネットワーク装置から第一パケットに対応するベアラ又はデータストリームの属性情報を取得することと、アクセスネットワーク装置がベアラ又はデータストリームの属性情報に基づいて第一パケットを受信する際の端末装置のあるべき状態を判断することと、を含む。
【００８１】
アクセスネットワーク装置はベアラ又はデータストリームの設定情報に含まれる第一指示情報に基づいて第一パケットを受信する際の端末装置のあるべき状態を直接決定することができるだけでなく、ベアラ又はデータストリーム自体のある属性情報に基づいて判断することにより、第一パケットを受信する際の端末装置のあるべき状態を決定することもできると理解すべきである。上記属性情報はベアラ又はデータストリームのサービス品質（Ｑｕａｌｉｔｙ  ｏｆ  Ｓｅｒｖｉｃｅ、ＱｏＳ）情報を含んでもよい。
【００８２】
上記ベアラ又はデータストリームの属性情報は具体的にベアラ又はデータストリームのデータ遅延情報、ベアラ又はデータストリームに対応するパケットサイズ、ベアラ又はデータストリームに対応するパケットの送信時間間隔等を含んでもよい。
【００８３】
具体的に、端末装置がベアラ又はデータストリームの属性情報に基づいて第一パケットを受信する際の端末装置のあるべき状態を判断することは、アクセスネットワーク装置がデータ遅延、パケットサイズ、パケット送信時間間隔のうちの少なくとも１つに基づいて第一パケットを受信する際の端末装置のあるべき状態を判断することを含む。
【００８４】
アクセスネットワーク装置はデータ遅延、パケットサイズ及びパケット送信時間間隔のうちの１つ又は複数に基づいて、第一パケットを受信する際の端末装置のあるべき状態を判断することができる。
【００８５】
例えば、ベアラ又はデータストリームのデータ遅延がより大きいとき、アクセスネットワーク装置は第一パケットを受信する際の端末装置のあるべき状態が非アクティブ状態であると判断することができ、一方、ベアラ又はデータストリームのデータ遅延がより小さいとき、アクセスネットワーク装置は第一パケットを受信する際の端末装置のあるべき状態がアクティブ状態であると判断することができる。つまり、データ遅延がプリセット閾値を超えるとき、アクセスネットワーク装置は第一パケットを受信する際に端末装置が非アクティブ状態にあるべきであると判断し、データ遅延がプリセット閾値より小さいとき、アクセスネットワーク装置は第一パケットを受信する際に端末装置がアクティブ状態にあるべきであると判断する。
【００８６】
第一パケットがより小さいとき、アクセスネットワーク装置は第一パケットを受信する際の端末装置のあるべき状態が非アクティブ状態であると判断することができ、第一パケットがより大きいとき、アクセスネットワーク装置は第一パケットを受信する際の端末装置のあるべき状態がアクティブ状態であると判断することができる。具体的に、第一パケットサイズがプリセット閾値より小さいとき、アクセスネットワーク装置は第一パケットを受信する際に端末装置が非アクティブ状態にあるべきであると判断し、第一パケットサイズがプリセット閾値より大きいとき、アクセスネットワーク装置は第一パケットを受信する際に端末装置がアクティブ状態にあるべきであると判断する。
【００８７】
第一パケットの送信時間間隔又は到着時間間隔がより長いとき、アクセスネットワーク装置は第一パケットを受信する際の端末装置のあるべき状態が非アクティブ状態であると判断することができ、第一パケットの送信時間間隔又は到着時間間隔がより短いとき、アクセスネットワーク装置は第一パケットを受信する際の端末装置のあるべき状態がアクティブ状態であると判断することができる。具体的に、第一パケットの送信時間間隔がプリセット閾値を超えるとき、アクセスネットワーク装置は第一パケットを受信する際に端末装置が非アクティブ状態にあるべきであると判断し、第一パケットの送信時間間隔がプリセット閾値より小さいとき、アクセスネットワーク装置は第一パケットを受信する際に端末装置がアクティブ状態にあるべきであると判断する。
【００８８】
アクセスネットワーク装置は更にデータ遅延、パケットサイズ及びパケット送信時間間隔のうちの複数に基づいて、第一パケットを受信する際の端末装置のあるべき状態を共同で決定することができると理解すべきである。
【００８９】
選択的に、一実施例として、アクセスネットワーク装置が第一パケットを受信する際の端末装置のあるべき状態を決定することは、アクセスネットワーク装置がコアネットワーク装置から第二指示情報を取得し、前記第二指示情報は第一パケットを受信する際の端末装置のあるべき状態を指示することに用いられることと、アクセスネットワーク装置が該第二指示情報に基づいて第一パケットを受信する際の端末装置のあるべき状態を決定することと、を含む。
【００９０】
上記第二指示情報はコアネットワーク装置がアクセスネットワーク装置に第一パケットを送信する前に送信した情報であってもよい。
【００９１】
コアネットワーク装置はデータを端末装置に送信する前にアクセスネットワーク装置に上記第二指示情報を送信することができ、このように、アクセスネットワーク装置は該第二指示情報に基づいて第一パケットを受信する際のあるべき状態を直接決定することができ、そして、コアネットワーク装置がアクセスネットワーク装置に第一パケットを送信し、アクセスネットワーク装置が第一パケットを受信した後、第一パケットを端末装置に送信する。
【００９２】
また、コアネットワーク装置はアクセスネットワーク装置に１つの独立した指示情報（第二指示情報）を送信することにより、パケットを伝送する際の端末装置のあるべき状態を指示する以外、更に類似な指示情報をコアネットワーク装置がアクセスネットワーク装置に送信するパケットの中に含めることができる。
【００９３】
選択的に、一実施例として、上記第一パケットに第一パケットの第三指示情報を含めており、該第三指示情報は第一パケットを受信する際の端末装置のあるべき状態を指示することに用いられ、そして、アクセスネットワーク装置は第一パケットから第一パケットの第三指示情報を取得し、端末装置は該第三指示情報に基づいて第一パケットを受信する際の端末装置のあるべき状態を決定する。
【００９４】
上記第一パケットにほかのパケットの第三指示情報を含めてもよく、このように、アクセスネットワーク装置又は端末装置は第一パケットに含まれているほかのパケットの第三指示情報に基づいて、ほかのパケットを受信する際の端末装置のあるべき状態を決定することができると理解すべきである。
【００９５】
選択的に、上記第三指示情報を第一パケットのユーザプレーントンネリングプロトコル（ＧＰＲＳ  Ｔｕｎｎｅｌｌｉｎｇ  Ｐｒｏｔｏｃｏｌ  ｆｏｒ  ｔｈｅ  Ｕｓｅｒｐｌａｎｅ、ＧＴＰ−Ｕ）ヘッダフィールドに含めてもよい。
【００９６】
選択的に、一実施例として、アクセスネットワーク装置が第一パケットを受信する際の端末装置のあるべき状態を決定することは、アクセスネットワーク装置が第二パケットに含まれている第一パケットの第四指示情報に基づいて、第一パケットを受信する際の端末装置のあるべき状態を決定することを含み、第一パケットの第四指示情報は第一パケットを受信する際の端末装置のあるべき状態を指示することに用いられ、第二パケットはアクセスネットワーク装置が第一パケットを受信する前に受信したパケットである。
【００９７】
つまり、アクセスネットワーク装置は第一パケットを受信する際の端末装置のあるべき状態を決定するとき、第一パケット自体に含まれている第一パケットの第三指示情報又はほかのパケットに含まれている第一パケットの第四指示情報に基づいて、第一パケットを受信する際の端末装置のあるべき状態を決定することができる。
【００９８】
選択的に、上記第二パケットには第一パケットを含む複数のパケットの第四指示情報を含めてもよく、具体的に、下記の（1）と（2）の二つの状況を含んでもよい。
（1）第二パケットには第二パケットからのＮ個のパケットの第四指示情報を含めており、該Ｎ個のパケットは第二パケット及び第一パケットを含み、Ｎは１より大きい整数である。
（2）第二パケットには第二パケットからシリアル番号Ｎまでの複数のパケットの第四指示情報を含めており、該複数のパケットは第二パケット及び第一パケットを含み、Ｎは１より大きい整数である。
【００９９】
つまり、第二パケットにとって、第二パケット自体の第四指示情報を含めてもよいだけではなく、ほかのパケットの第四指示情報を含めてもよい。
【０１００】
選択的に、アクセスネットワーク装置が端末装置に上記第二パケットを送信できることにより、端末装置は上記第二パケットに含まれているＮ個のパケットの第四指示情報に基づいて第一パケットを受信する際のあるべき状態を決定し、又は、端末装置は上記第二パケットに含まれている複数のパケットの第四指示情報に基づいて第一パケットを受信する際のあるべき状態を決定することができる。
【０１０１】
具体的に、端末装置はアクセスネットワーク装置の第二パケットを受信した後、第二パケットに含まれているＮ個のパケット又は複数のパケットの第四指示情報から第一パケットの第四指示情報を取得することができ、このように、第一パケットの第四指示情報に基づいて第一パケットを受信する際の端末装置のあるべき状態を決定することができる。
【０１０２】
アクセスネットワーク装置は端末装置に第一パケットを送信する前に端末装置に第二パケットを送信することができると理解すべきである。
【０１０３】
選択的に、第二パケットにおいて、複数のパケットの第四指示情報を第二パケットのＧＴＰ−Ｕヘッダフィールドに含めてもよい。
【０１０４】
具体的に、表１に示すように、第一パケットのＧＴＰ−Ｕヘッダフィールドに１つのデータ状態（Ｄａｔａ  Ｓｔａｔｅ）フィールドを追加してもよく、データ状態フィールドに第一パケットの第三指示情報を含めている。このように、アクセスネットワーク装置は該パケットを受信した後、第一パケットを解析することにより第一パケットの第三指示情報を取得することができ、次に第一パケットの第三指示情報に基づいて第一パケットを受信する際の端末装置のあるべき状態を決定することができる。第一パケットにほかのパケットの第三指示情報を含めてもよいと理解すべきである。
【０１０５】
また、第二パケットのＧＴＰ−Ｕヘッダフィールドに１つのデータ状態（Ｄａｔａ  Ｓｔａｔｅ）フィールドを追加してもよく、第二パケットの番号が１である場合、第二パケットのデータ状態フィールドに番号１から番号Ｎ（Ｎは１より大きい整数である）までのＮ個のパケットの第四指示情報を含めてもよく、このＮ個のパケットは第二パケット自体及び第一パケットを含む。第二パケットの番号が３である場合、第二パケットのデータ状態フィールドに番号３から番号Ｎ（Ｎは３より大きい整数である）までの複数のパケットのデータ指示情報を含めてもよく、該複数のパケットは第二パケット自体及び上記第一パケットを含む。
【０１０６】
第一パケットに含まれている第一パケットの第三指示情報及び第二パケットに含まれている第一パケットの第四指示情報の作用が同様であり、それらはいずれも第一パケットを受信する際の端末装置のあるべき状態を指示することに用いることができるが、第一パケットの第三指示情報を第一パケットに含めており、第一パケットの第四指示情報を第二パケットに含めていると理解すべきである。
【表１】
2019532527.tif 000003
【０１０７】
選択的に、アクセスネットワーク装置は端末装置にパケットを送信する前に、端末装置に第五指示情報を送信し、該第五指示情報は第一パケットを受信する際の端末装置のあるべき状態を指示することに用いられる。
【０１０８】
具体的には、現在、端末装置が第一状態にあって、かつアクセスネットワーク装置は第一パケットを受信する際の端末装置のあるべき状態が第一状態であると決定する場合、アクセスネットワーク装置が端末装置に第五指示情報を送信できることにより、第一状態で第一パケットを受信するように端末装置に通知し、又は、端末装置は端末装置に第五指示情報を送信せず、端末装置に第一パケットを直接送信することができる。
【０１０９】
現在、端末装置が第二状態にある場合、アクセスネットワーク装置は端末装置に該第五指示情報を送信することができ、端末装置が該第五指示情報を受信すると、アクセスネットワーク装置と一連インタラクションし、第二状態から第一状態にハンドオーバー、次に第一状態でアクセスネットワーク装置から送信された第一パケットを受信する。
【０１１０】
上記第五指示情報がページングメッセージであってもよく、つまり、アクセスネットワーク装置は端末装置にページングメッセージを送信することにより、パケットを受信する際の端末装置のあるべき状態を通知することができると理解すべきである。
【０１１１】
以上は図１を参照しながらアクセスネットワーク装置の角度から本発明の実施例のデータ伝送方法を詳しく説明したが、以下に図２を参照しながら端末装置の角度から本発明の実施例のデータ伝送方法を詳しく説明する。
【０１１２】
図２は本発明の実施例のデータ伝送方法の模式的なフローチャートである。図２における方法はステップ２１０〜２２０を含む。
【０１１３】
２１０、端末装置はアクセスネットワーク装置にパケットを送信する際のあるべき状態を決定し、アクセスネットワーク装置にパケットを送信する際のあるべき状態は少なくとも２つの状態のいずれか１つであり、該少なくとも２つの状態は端末装置及びネットワーク側装置がデータを伝送する際の異なる状態である。
【０１１４】
上記少なくとも２つの状態は端末装置が接続モードにおいてネットワーク側とデータ伝送を行う際の２つの状態であってもよく、具体的に、上記少なくとも２つの状態は端末装置及びネットワーク側装置がＲＲＣ接続にある際の異なる状態であってもよい。
【０１１５】
選択的に、上記少なくとも２つの状態は第一状態及び第二状態を含み、第一状態及び第二状態は端末装置が接続モードにある際の２つの異なる状態であり、第一状態において、端末装置及びアクセスネットワーク装置が接続されるように維持し、端末装置及びアクセスネットワーク装置には端末装置のコンテクスト情報を記憶し、端末装置がアクセスネットワーク装置の属するアクセスネットワーク装置群内のすべてのアクセスネットワーク装置のカバレッジ範囲内に移動する際に、セル再選択プロセスを実行し、アクセスネットワーク装置のハンドオーバーを行わない。一方、第二状態において、端末装置がアクセスネットワーク装置の属するアクセスネットワーク装置群内のすべてのアクセスネットワーク装置のカバレッジ範囲内に移動する際に、アクセスネットワーク装置は端末装置がアクセスネットワーク装置のハンドオーバーを行うように制御する。
【０１１６】
つまり、第一状態において、端末装置はアクセスネットワーク装置のハンドオーバーを行わず、アクセスネットワーク装置群内のすべてのアクセスネットワーク装置及びコアネットワーク装置は該端末装置の移動を感知できず、ネットワーク側装置にとって、端末装置の移動が把握不可能である。第二状態において、端末装置が１つのセルからほかのセルまで移動する際に、該端末装置の属するアクセスネットワーク装置は端末装置がアクセスネットワーク装置のハンドオーバーを行うように制御し、このような場合、アクセスネットワーク装置は端末装置が異なるアクセスネットワーク装置のカバレッジ範囲内に移動することを感知できる。
【０１１７】
上記第一状態は非アクティブ状態であってもよく、第二状態はアクティブ状態であってもよい。
【０１１８】
２２０、端末装置はパケットを送信する際のあるべき状態においてアクセスネットワーク装置にパケットを送信する。
【０１１９】
具体的には、現在、端末装置の状態が第一状態であって、端末装置はステップ２１０によってアップリンクデータを送信する際の端末装置のあるべき状態が第二状態であると決定することを仮定する場合、端末装置が現在の第一状態から第二状態に変換してから、第二状態でパケットを送信する必要があり、もし端末装置はステップ２１０によってアップリンクデータを送信する際の端末装置のあるべき状態が第一状態であると決定すれば、端末装置は状態の変換を行う必要がなく、第一状態においてパケットを送信する。
【０１２０】
本発明の実施例において、端末装置は、パケットを送信する前に該パケットを送信する際のあるべき状態を決定することにより、パケットにマッチする状態において該パケットを送信することができる。
【０１２１】
具体的には、上記パケットがより小さい場合、端末装置は第一状態（該第一状態が非アクティブ状態であってもよい）で該パケットを送信すると決定することができ、パケットがより大きい場合、端末装置は第二状態（該第二状態がアクティブ状態であってもよい）で該パケットを送信すると決定することができる。従来技術においてパケットの違いに応じて対応する状態を用いてパケットを送信すべきことを考慮せず、このため、本発明の実施例のデータ伝送方法はパケットにマッチする状態を選択してパケットを送信することができ、データ伝送を効率よく行うことができる。
【０１２２】
選択的に、一実施例として、端末装置がパケットを送信する際のあるべき状態を決定することは、端末装置が予め取得されたパケットに対応するベアラ情報又はデータストリーム情報に基づいてパケットを送信する際のあるべき状態を決定することを含む。
【０１２３】
上記パケットに対応するベアラ情報又はデータストリーム情報は端末装置がこの前にアクセスネットワーク装置から取得されたもの又は契約情報から取得されたものであってもよく、また、上記パケットに対応するベアラ情報又はデータストリーム情報は端末装置がコアネットワーク装置から取得されたものであってもよい。端末装置はアップリンクデータを送信する必要があるとき、これらのベアラ情報又はデータストリーム情報に基づいて送信待つアップリンクデータのあるべき状態を決定することができる。
【０１２４】
選択的に、一実施例として、端末装置が予め取得されたパケットに対応するベアラ情報又はデータストリーム情報に基づいてパケットを送信する際のあるべき状態を決定することは、端末装置がベアラ又はデータストリームの設定情報における第一指示情報に基づいて、パケットを送信する際のあるべき状態を決定することを含み、上記第一指示情報はベアラ又はデータストリームに対応するパケットを伝送する際の端末装置のあるべき状態を指示することに用いられる。
【０１２５】
選択的に、一実施例として、端末装置が予め設定されたベアラ情報又はデータストリーム情報に基づいてパケットを送信する際のあるべき状態を決定することは、端末装置がベアラ又はデータストリームの属性情報に基づいてパケットを送信する際のあるべき状態を判断することを含む。
【０１２６】
上記属性情報はベアラ又はデータストリームのサービス品質（Ｑｕａｌｉｔｙ  ｏｆ  Ｓｅｒｖｉｃｅ、ＱｏＳ）情報を含んでもよい。上記端末装置はベアラ又はデータストリームの設定情報に含まれる情報に基づいてパケットを受信する際の端末装置のあるべき状態を直接決定することができるだけでなく、ベアラ又はパケット自体のある属性情報に基づいて判断することにより、パケットを送信する際の端末装置のあるべき状態を決定することもできる。
【０１２７】
上記ベアラ又はデータストリームの属性情報は具体的にベアラ又はデータストリームのデータ遅延情報、ベアラ又はデータストリームに対応するパケットサイズ、ベアラ又はデータストリームに対応するパケットの送信時間間隔等を含んでもよい。
【０１２８】
端末装置は予め取得された第一指示情報に基づいてパケットを送信する際の端末装置のあるべき状態を直接決定することができるだけでなく、パケットに対応するベアラ又はデータストリーム自体の属性情報によってパケットを送信する際の端末装置のあるべき状態を判断することもできる。
【０１２９】
選択的に、一実施例として、端末装置がベアラ又はデータストリームの属性情報に基づいてパケットを送信する際のあるべき状態を判断することは、端末装置がデータ遅延、パケットサイズ、パケット送信時間間隔のうちの少なくとも１つに基づいてパケットを送信する際の端末装置のあるべき状態を判断することを含む。
【０１３０】
具体的に、ベアラ又はデータストリームのデータ遅延がプリセット閾値を超えるとき、端末装置はパケットを送信する際のあるべき状態が非アクティブ状態であると判断することができ、ベアラ又はデータストリームのデータ遅延がプリセット閾値より小さいとき、端末装置はパケットを送信する際のあるべき状態がアクティブ状態であると判断することができる。
【０１３１】
パケットサイズがプリセット閾値より小さいとき、端末装置はパケットを送信する際のあるべき状態が非アクティブ状態であると判断することができ、パケットサイズがプリセット閾値より大きいとき、端末装置はパケットを送信する際のあるべき状態がアクティブ状態であると判断することができる。
【０１３２】
パケットの送信時間間隔又は到着時間間隔がプリセット閾値を超えるとき、端末装置はパケットを送信する際のあるべき状態が非アクティブ状態であると判断することができ、パケットの送信時間間隔又は到着時間間隔がプリセット閾値より小さいとき、端末装置はパケットを送信する際のあるべき状態がアクティブ状態であると判断することができる。
【０１３３】
端末装置は更にデータ遅延、パケットサイズ及びパケット送信時間間隔のうちの複数に基づいて、パケットを送信する際のあるべき状態を共同で決定することができると理解すべきである。
【０１３４】
選択的に、一実施例として、現在、端末装置が第一状態にあって、端末装置がアップリンクパケットを送信する際のあるべき状態でアクセスネットワーク装置にパケットを送信することは、端末装置はパケットを送信する際のあるべき状態が第二状態であると決定すれば、端末装置を第一状態から第二状態に変換することと、端末装置が第二状態でアクセスネットワーク装置にパケットを送信することと、を含む。
【０１３５】
例えば、端末装置がアップリンクデータを送信する前に、判断によって該アップリンクデータを送信する際の該あるべき状態がアクティブ状態であると決定するが、現在、端末装置が非アクティブ状態にある場合、端末装置が非アクティブ状態からアクティブ状態に変換する必要があり、そして、アクティブ状態においてアクセスネットワーク装置にアップリンクデータを送信する。アップリンクデータを送信した後、端末装置はアクティブ状態を維持し続けてもよいし、アクティブ状態から非アクティブ状態に変換してもよい。
【０１３６】
以上は図１及び図２を参照しながら本発明の実施例のデータ伝送方法を詳しく説明したが、以下に図３〜図６を参照しながら本発明の実施例のアクセスネットワーク装置及び端末装置を詳しく説明する。図３〜図６におけるアクセスネットワーク装置及び端末装置はそれぞれ本発明の実施例のデータ伝送方法におけるアクセスネットワーク装置及び端末装置により実行される各ステップを実行することができると理解すべきであり、重複を避けるために、詳細な説明は省略する。
【０１３７】
図３は本発明の実施例のアクセスネットワーク装置の模式的なブロック図である。図３に示すように、該アクセスネットワーク装置３００は、
コアネットワーク装置から送信された第一パケットを受信するための受信モジュール３１０と、
前記第一パケットを受信する際の端末装置のあるべき状態を決定することに用いられ、前記第一パケットを受信する際の前記端末装置のあるべき状態は少なくとも２つの状態のいずれか１つであり、前記少なくとも２つの状態は前記端末装置及びネットワーク側装置がデータを伝送する際の異なる状態である決定モジュール３２０と、
前記端末装置に前記第一パケットを送信するための送信モジュール３３０と、を含む。
【０１３８】
本発明の実施例において、アクセスネットワーク装置が第一パケットを受信する際の端末装置のあるべき状態を決定することにより、端末装置は第一パケットにマッチする状態においてパケットを受信することができる。
【０１３９】
具体的には、上記第一パケットがより小さい場合、アクセスネットワーク装置は端末装置が第一状態（該第一状態が非アクティブ状態であってもよい）で第一パケットを受信すると決定することができ、第一パケットがより大きい場合、アクセスネットワーク装置は端末装置が第二状態（該第二状態がアクティブ状態であってもよい）で第一パケットを受信すると決定することができる。ところが、従来技術においてパケットの違いに応じて対応する状態を用いてパケットを受信すべきことを考慮せず、このため、本発明の実施例のデータ伝送方法はパケットにマッチする状態を選択してパケットを受信することができ、データ伝送を効率よく行うことができる。
【０１４０】
選択的に、一実施例として、前記少なくとも２つの状態は、第一状態と第二状態とを含む。前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わない。前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御する。
【０１４１】
選択的に、一実施例として、前記アクセスネットワーク装置は、更に、
前記第一パケットに対応するベアラ情報又はデータストリーム情報を取得するための取得モジュール３４０を含み、
前記決定モジュール３２０は前記ベアラ情報又はデータストリーム情報に基づいて、前記第一パケットを受信する際の前記端末装置のあるべき状態を決定することに用いられる。
【０１４２】
選択的に、一実施例として、前記取得モジュール３４０は、具体的に、前記第一パケットに対応するベアラ又はデータストリームの第一指示情報を取得することに用いられ、前記第一指示情報は前記ベアラ又は前記データストリームに対応するパケットを伝送する際の前記端末装置のあるべき状態を指示することに用いられ、
前記決定モジュール３２０は、具体的に、前記第一指示情報に基づいて前記第一パケットを受信する際の端末装置のあるべき状態を決定することに用いられる。
【０１４３】
選択的に、一実施例として、前記取得モジュール３４０は、具体的に、前記コアネットワーク装置から前記第一パケットに対応するベアラ又はデータストリームの属性情報を取得することに用いられ、
前記決定モジュール３２０は、具体的に、前記ベアラ又はデータストリームの属性情報に基づいて、前記第一パケットを受信する際の前記端末装置のあるべき状態を判断することに用いられる。
【０１４４】
選択的に、一実施例として、前記決定モジュール３２０は、具体的に、データ遅延、パケットサイズ、パケット送信時間間隔のうちの少なくとも１つに基づいて、前記第一パケットを受信する際の前記端末装置のあるべき状態を判断することに用いられる。
【０１４５】
選択的に、一実施例として、前記アクセスネットワーク装置は、
前記コアネットワーク装置から第二指示情報を取得し、前記第二指示情報は前記第一パケットを受信する際の前記端末装置のあるべき状態を指示することに用いられる取得モジュール３４０を更に含み、
前記決定モジュール３２０は具体的に前記第二指示情報に基づいて、前記第一パケットを受信する際の前記端末装置のあるべき状態を決定することに用いられる。
【０１４６】
選択的に、一実施例として、前記第一パケットに前記第一パケットの第三指示情報を含めており、前記第三指示情報は前記第一パケットを受信する際の前記端末装置のあるべき状態を指示することに用いられ、前記アクセスネットワーク装置は、
前記第一パケットから前記第一パケットの第三指示情報を取得するための取得モジュール３４０を更に含み、
前記決定モジュール３２０は具体的に前記第三指示情報に基づいて、前記第一パケットを受信する際の前記端末装置のあるべき状態を決定することに用いられる。
【０１４７】
選択的に、一実施例として、前記第三指示情報を前記第一パケットのＧＴＰ−Ｕヘッダフィールドに含めている。
【０１４８】
選択的に、一実施例として、前記決定モジュール３２０は具体的に前記第二パケットに含まれている前記第一パケットの第四指示情報に基づいて、前記第一パケットを受信する際の前記端末装置のあるべき状態を決定することに用いられ、前記第一パケットの第四指示情報は前記第一パケットを受信する際の前記端末装置のあるべき状態を指示することに用いられ、前記第二パケットは前記アクセスネットワーク装置が前記第一パケットを受信する前に受信したパケットである。
【０１４９】
選択的に、一実施例として、前記第二パケットには前記第二パケットからのＮ個のパケットの第四指示情報を含めており、前記Ｎ個のパケットは前記第二パケット及び前記第一パケットを含み、Ｎは１より大きい整数である。
【０１５０】
選択的に、一実施例として、前記第二パケットには前記第二パケットからシリアル番号Ｎまでの複数のパケットの第四指示情報を含めており、前記複数のパケットは前記第二パケット及び前記第一パケットを含み、Ｎは１より大きい整数である。
【０１５１】
選択的に、一実施例として、前記第四指示情報を前記第二パケットのＧＴＰ−Ｕヘッダフィールドに含めている。
【０１５２】
選択的に、一実施例として、前記送信モジュール３３０は更に前記第一パケットを受信する際の前記端末装置のあるべき状態を指示するための第五指示情報を前記端末装置に送信することに用いられる。
【０１５３】
図４は本発明の実施例の端末装置の模式的なブロック図である。図４に示すように、該端末装置４００は、
前記端末装置がアクセスネットワーク装置にパケットを送信する際のあるべき状態を決定することに用いられ、前記アクセスネットワーク装置にパケットを送信する際のあるべき状態は少なくとも２つの状態のいずれか１つであり、前記少なくとも２つの状態は前記端末装置及びネットワーク側装置がデータを伝送する際の異なる状態である決定モジュール４１０と、
前記第一パケットを送信する際のあるべき状態で前記アクセスネットワーク装置に前記第一パケットを送信するための送信モジュール４２０と、を含む。
【０１５４】
本発明の実施例において、端末装置が、パケットを送信する前に該パケットを送信する際のあるべき状態を決定することにより、端末装置はパケットにマッチする状態において該パケットを送信することができる。
【０１５５】
選択的に、一実施例として、前記少なくとも２つの状態は、第一状態と第二状態とを含む。前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わない。前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御する。
【０１５６】
具体的には、上記パケットがより小さい場合、端末装置は第一状態（該第一状態が非アクティブ状態であってもよい）で該パケットを送信すると決定することができ、パケットがより大きい場合、端末装置は第二状態（該第二状態がアクティブ状態であってもよい）で該パケットを送信すると決定することができる。ところが、従来技術においてパケットの違いに応じて対応する状態を用いてパケットを送信すべきことを考慮せず、このため、本発明の実施例のデータ伝送方法はパケットにマッチする状態を選択してパケットを送信することができ、データ伝送を効率よく行うことができる。
【０１５７】
選択的に、一実施例として、前記決定モジュール４１０は具体的に予め取得された前記パケットに対応するベアラ情報又はデータストリーム情報に基づいて、前記パケットを送信する際のあるべき状態を決定することに用いられる。
【０１５８】
選択的に、一実施例として、前記決定モジュール４１０は具体的に前記ベアラ又は前記データストリームの設定情報における第一指示情報に基づいて、前記パケットを送信する際の前記端末装置のあるべき状態を決定することに用いられ、前記第一指示情報は前記ベアラ又は前記データストリームに対応するパケットを伝送する際の前記端末装置のあるべき状態を指示することに用いられる。
【０１５９】
選択的に、一実施例として、前記決定モジュール４１０は具体的に前記ベアラ又は前記データストリームの属性情報に基づいて、前記パケットを送信する際のあるべき状態を判断することに用いられる。
【０１６０】
選択的に、一実施例として、前記決定モジュール４１０は具体的にデータ遅延、パケットサイズ、パケット送信時間間隔のうちの少なくとも１つに基づいて、前記第一パケットを送信する際の前記端末装置のあるべき状態を判断することに用いられる。
【０１６１】
図５は本発明の実施例のアクセスネットワーク装置の模式的なブロック図である。図５におけるアクセスネットワーク装置５００は、
プログラムを記憶するためのメモリ５１０と、
コアネットワーク装置から送信された第一パケットを受信するための送受信機５２０と、
前記メモリ５１０に記憶されるプログラムを実行することに用いられ、前記プログラムが実行されるとき、前記第一パケットを受信する際の端末装置のあるべき状態を決定することに用いられ、前記第一パケットを受信する際の前記端末装置のあるべき状態は少なくとも２つの状態のいずれか１つであり、前記少なくとも２つの状態は前記端末装置及びネットワーク側装置がデータを伝送する際の異なる状態であるプロセッサ５３０と、を備え、
前記送受信機５２０は更に前記端末装置に前記第一パケットを送信することに用いられる。
【０１６２】
本発明の実施例において、アクセスネットワーク装置が第一パケットを受信する際の端末装置のあるべき状態を決定することにより、端末装置は第一パケットにマッチする状態でパケットを受信することができる。
【０１６３】
選択的に、一実施例として、前記少なくとも２つの状態は、第一状態と第二状態とを含む。前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わない。前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御する。
【０１６４】
選択的に、一実施例として、前記プロセッサ５３０は具体的に前記第一パケットに対応するベアラ情報又はデータストリーム情報を取得し、前記ベアラ情報又はデータストリーム情報に基づいて前記第一パケットを受信する際の前記端末装置のあるべき状態を決定することに用いられる。
【０１６５】
選択的に、一実施例として、前記プロセッサ５３０は具体的に前記第一パケットに対応するベアラ又はデータストリームの第一指示情報を取得し、前記第一指示情報が前記ベアラ又は前記データストリームに対応するパケットを伝送する際の前記端末装置のあるべき状態を指示することに用いられ、前記第一指示情報に基づいて前記第一パケットを受信する際の端末装置のあるべき状態を決定することに用いられる。
【０１６６】
選択的に、一実施例として、前記プロセッサ５３０は具体的に前記コアネットワーク装置から前記第一パケットに対応するベアラ又はデータストリームの属性情報を取得し、前記ベアラ又はデータストリームの属性情報に基づいて前記第一パケットを受信する際の前記端末装置のあるべき状態を判断することに用いられる。
【０１６７】
選択的に、一実施例として、前記プロセッサ５３０は具体的にデータ遅延、パケットサイズ、パケット送信時間間隔のうちの少なくとも１つに基づいて、前記第一パケットを受信する際の前記端末装置のあるべき状態を判断することに用いられる。
【０１６８】
選択的に、一実施例として、前記送受信機５２０は具体的にコアネットワーク装置から送信される第二指示情報を受信することに用いられ、前記第二指示情報は前記現在のパケットを受信する際の前記端末装置のあるべき状態を指示することに用いられ、前記プロセッサ５３０は具体的に前記第二指示情報に基づいて、前記第一パケットを受信する際の前記端末装置のあるべき状態を決定することに用いられる。
【０１６９】
選択的に、一実施例として、前記第一パケットに前記第一パケットの第三指示情報を含めており、前記第三指示情報は前記第一パケットを受信する際の前記端末装置のあるべき状態を指示することに用いられ、前記プロセッサ５３０は具体的に前記第一パケットから前記第一パケットの第三指示情報を取得し、前記第三指示情報に基づいて前記第一パケットを受信する際の前記端末装置のあるべき状態を決定することに用いられる。
【０１７０】
選択的に、一実施例として、前記第三指示情報を前記第一パケットのＧＴＰ−Ｕヘッダフィールドに含めている。
【０１７１】
選択的に、一実施例として、前記プロセッサ５３０は具体的に前記第二パケットに含まれている前記第一パケットの第四指示情報に基づいて、前記第一パケットを受信する際の前記端末装置のあるべき状態を決定することに用いられ、前記第一パケットの第四指示情報は前記第一パケットを受信する際の前記端末装置のあるべき状態を指示することに用いられ、前記第二パケットは前記アクセスネットワーク装置が前記第一パケットを受信する前に受信したパケットである。
【０１７２】
選択的に、一実施例として、前記第二パケットには前記第二パケットからのＮ個のパケットの第四指示情報を含めており、前記Ｎ個のパケットは前記第二パケット及び前記第一パケットを含み、Ｎは１より大きい整数である。
【０１７３】
選択的に、一実施例として、前記第二パケットには前記第二パケットからシリアル番号Ｎまでの複数のパケットの第四指示情報を含めており、前記複数のパケットは前記第二パケット及び前記第一パケットを含み、Ｎは１より大きい整数である。
【０１７４】
選択的に、一実施例として、前記第四指示情報を前記第二パケットのＧＴＰ−Ｕヘッダフィールドに含めている。
【０１７５】
選択的に、一実施例として、前記送受信機５２０は更に前記端末装置に第五指示情報を送信することに用いられ、前記第五指示情報は前記第一パケットを受信する際の前記端末装置のあるべき状態を指示することに用いられる。
【０１７６】
図６は本発明の実施例の端末装置の模式的なブロック図である。図６におけるアクセスネットワーク装置６００は、
プログラムを記憶するためのメモリ６１０と、
前記メモリ６１０に記憶されるプログラムを実行することに用いられ、前記プログラムが実行されるとき、前記端末装置がアクセスネットワーク装置にパケットを送信する際のあるべき状態を決定することに用いられ、前記アクセスネットワーク装置にパケットを送信する際のあるべき状態は少なくとも２つの状態のいずれか１つであり、前記少なくとも２つの状態は前記端末装置及びネットワーク側装置がデータを伝送する際の異なる状態であるプロセッサ６２０と、
前記パケットを送信する際のあるべき状態で前記アクセスネットワーク装置に前記パケットを送信するための送受信機６３０と、を備える。
【０１７７】
本発明の実施例において、端末装置がパケットを送信する前に該パケットを送信する際のあるべき状態を決定することにより、端末装置はパケットにマッチする状態で該パケットを送信することができる。
【０１７８】
選択的に、一実施例として、前記少なくとも２つの状態は、第一状態と第二状態とを含む。前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わない。前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御する。
【０１７９】
選択的に、一実施例として、前記プロセッサ６２０は具体的に予め取得された前記パケットに対応するベアラ情報又はデータストリーム情報に基づいて、前記パケットを送信する際のあるべき状態を決定することに用いられる。
【０１８０】
選択的に、一実施例として、前記プロセッサ６２０は具体的に前記ベアラ又は前記データストリームの設定情報における第一指示情報に基づいて、前記パケットを送信する際の前記端末装置のあるべき状態を決定することに用いられ、前記第一指示情報は前記ベアラ又は前記データストリームに対応するパケットを伝送する際の前記端末装置のあるべき状態を指示することに用いられる。
【０１８１】
選択的に、一実施例として、前記プロセッサ６２０は具体的に前記ベアラ又は前記データストリームの属性情報に基づいて、前記パケットを送信する際のあるべき状態を判断することに用いられる。
【０１８２】
選択的に、一実施例として、前記プロセッサ６２０は具体的にデータ遅延、パケットサイズ、パケット送信時間間隔のうちの少なくとも１つに基づいて、前記パケットを送信する際の前記端末装置のあるべき状態を判断することに用いられる。
【０１８３】
当業者であれば、本明細書に開示された実施例に説明される各例のユニット及びアルゴリズムステップを参照して、電子ハードウェア、又はコンピュータソフトウェアと電子ハードウェアとの組み合わせによって実現できると理解される。これらの機能はハードウェアそれともソフトウェアの方式で実行するかは、技術案の特定アプリケーション及び設計された制約条件によって決定される。当業者は各特定アプリケーションに対して様々な方法で説明された機能を実現することができるが、このような実現は本発明の範囲を超えると見なされるべきではない。
【０１８４】
当業者は、説明の都合上、上記説明されたシステム、装置及びユニットの具体的な動作過程が上記方法実施例における対応する過程を参照してもよく、詳細な説明が省略することを明確に理解することができる。
【０１８５】
本発明に係るいくつかの実施例において、開示されたシステム、装置及び方法がほかの方式で実現されてもよいと理解すべきである。例えば、以上に説明された装置実施例は単なる模式的なものであり、例えば、前記ユニットの分割は単なる論理的機能の分割であり、実際に実現する場合に別の分割方式でもよく、例えば複数のユニット又はアセンブリを別のシステムに結合又は統合することができ、又はいくるかの特徴を省略してもよいし、実行しなくてもよい。また、表示又は検討された相互間の結合又は直接結合又は通信接続がいくつかのインターフェース、装置又はユニットによる間接結合又は通信接続であってもよく、電気、機械又はほかのタイプであってもよい。
【０１８６】
前記分離部材として説明されたユニットは物理的に分離されるものであってもよいし、そうでないものであってもよく、ユニットとして表示される部材は物理ユニットであってもよいし、そうでなくてもよく、つまり、一箇所に位置してもよいし、複数のネットワークユニットに分布してもよい。実際の必要に応じて、そのユニットの一部又は全部を選択して本実施例案の目的を実現してもよい。
【０１８７】
また、本発明の各実施例における各機能ユニットは１つの処理ユニットに統合されてもよく、各ユニットは独立して物理的に存在してもよく、２つ又は２つ以上のユニットは１つのユニットに統合されてもよい。
【０１８８】
前記機能がソフトウェア機能ユニットの形式で実現されて、独立した製品として販売又は使用されるとき、１つのコンピュータ可読記憶媒体に記憶されてもよい。このような理解の上で、本発明の技術案は本質的に、又は従来技術に貢献した部分又は該技術案の一部はソフトウェア製品の形式で具現されてもよく、該コンピュータソフトウェア製品は、１つの記憶媒体に記憶されてもよく、一台のコンピュータ機器（パーソナルコンピュータ、サーバ、又はネットワーク機器等であってもよい）で本発明の各実施例に記載の方法のステップの全部又は一部を実行するための複数の命令を含む。上記記憶媒体は、ＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１８９】
以上の説明は本発明の具体的な実施形態であるが、本発明の保護範囲を制限するためのものではなく、当業者が本発明に開示された技術的範囲内に容易に想到しうる変更又は置換は、いずれも本発明の保護範囲内に含まれるべきである。従って、本発明の保護範囲は前記特許請求の保護範囲に準ずるべきである。
【図１】
2019532527.tif 000004
【図２】
2019532527.tif 000005
【図３】
2019532527.tif 000006
【図４】
2019532527.tif 000007
【図５】
2019532527.tif 000008
【図６】
2019532527.tif 000009
【手続補正書】
【提出日】令和1年9月6日(2019.9.6)
【手続補正１】
【補正対象書類名】明細書
【補正対象項目名】００３４
【補正方法】変更
【補正の内容】
【００３４】
第二態様においてデータ伝送方法を提供し、端末装置はアクセスネットワーク装置にパケットを送信する際のあるべき状態を決定し、前記端末装置がパケットを送信する際のあるべき状態は少なくとも２つの状態のいずれか１つであり、前記少なくとも２つの状態は前記端末装置及びネットワーク側装置がデータを伝送する際の異なる状態であることと、前記端末装置は、前記パケットを送信する際のあるべき状態で、前記アクセスネットワーク装置に前記パケットを送信することと、を含む。
【手続補正２】
【補正対象書類名】明細書
【補正対象項目名】００５０
【補正方法】変更
【補正の内容】
【００５０】
第八態様においてコンピュータ可読媒体を提供し、前記コンピュータ可読媒体はアクセスネットワーク装置によって実行するためのプログラムコードを記憶することに用いられ、前記プログラムコードは第二態様の方法を実行するための命令を含む。
【手続補正３】
【補正対象書類名】明細書
【補正対象項目名】００８３
【補正方法】変更
【補正の内容】
【００８３】
具体的に、アクセスネットワーク装置がベアラ又はデータストリームの属性情報に基づいて第一パケットを受信する際の端末装置のあるべき状態を判断することは、アクセスネットワーク装置がデータ遅延、パケットサイズ、パケット送信時間間隔のうちの少なくとも１つに基づいて第一パケットを受信する際の端末装置のあるべき状態を判断することを含む。
【手続補正４】
【補正対象書類名】明細書
【補正対象項目名】０１０５
【補正方法】変更
【補正の内容】
【０１０５】
また、第二パケットのＧＴＰ−Ｕヘッダフィールドに１つのデータ状態（Ｄａｔａ  Ｓｔａｔｅ）フィールドを追加してもよく、第二パケットの番号が１である場合、第二パケットのデータ状態フィールドに番号１から番号Ｎ（Ｎは１より大きい整数である）までのＮ個のパケットの第四指示情報を含めてもよく、このＮ個のパケットは第二パケット自体及び第一パケットを含む。第二パケットの番号が３である場合、第二パケットのデータ状態フィールドに番号３から番号Ｎ（Ｎは３より大きい整数である）までの複数のパケットの第四指示情報を含めてもよく、該複数のパケットは第二パケット自体及び上記第一パケットを含む。
【手続補正５】
【補正対象書類名】明細書
【補正対象項目名】０１０７
【補正方法】変更
【補正の内容】
【０１０７】
選択的に、アクセスネットワーク装置は端末装置に第一パケットを送信する前に、端末装置に第五指示情報を送信し、該第五指示情報は第一パケットを受信する際の端末装置のあるべき状態を指示することに用いられる。
【手続補正６】
【補正対象書類名】明細書
【補正対象項目名】０１１３
【補正方法】変更
【補正の内容】
【０１１３】
２１０、端末装置はアクセスネットワーク装置にパケットを送信する際のあるべき状態を決定し、端末装置がパケットを送信する際のあるべき状態は少なくとも２つの状態のいずれか１つであり、該少なくとも２つの状態は端末装置及びネットワーク側装置がデータを伝送する際の異なる状態である。
【手続補正７】
【補正対象書類名】明細書
【補正対象項目名】０１２６
【補正方法】変更
【補正の内容】
【０１２６】
上記属性情報はベアラ又はデータストリームのサービス品質（Ｑｕａｌｉｔｙ  ｏｆ  Ｓｅｒｖｉｃｅ、ＱｏＳ）情報を含んでもよい。上記端末装置はベアラ又はデータストリームの設定情報に含まれる情報に基づいてパケットを受信する際の端末装置のあるべき状態を直接決定することができるだけでなく、ベアラ又はデータストリーム自体のある属性情報に基づいて判断することにより、パケットを送信する際の端末装置のあるべき状態を決定することもできる。
【手続補正８】
【補正対象書類名】明細書
【補正対象項目名】０１５３
【補正方法】変更
【補正の内容】
【０１５３】
図４は本発明の実施例の端末装置の模式的なブロック図である。図４に示すように、該端末装置４００は、
前記端末装置がアクセスネットワーク装置にパケットを送信する際のあるべき状態を決定することに用いられ、前記端末装置がパケットを送信する際のあるべき状態は少なくとも２つの状態のいずれか１つであり、前記少なくとも２つの状態は前記端末装置及びネットワーク側装置がデータを伝送する際の異なる状態である決定モジュール４１０と、
前記第一パケットを送信する際のあるべき状態で前記アクセスネットワーク装置に前記第一パケットを送信するための送信モジュール４２０と、を含む。
【手続補正９】
【補正対象書類名】明細書
【補正対象項目名】０１７６
【補正方法】変更
【補正の内容】
【０１７６】
図６は本発明の実施例の端末装置の模式的なブロック図である。図６におけるアクセスネットワーク装置６００は、
プログラムを記憶するためのメモリ６１０と、
前記メモリ６１０に記憶されるプログラムを実行することに用いられ、前記プログラムが実行されるとき、前記端末装置がアクセスネットワーク装置にパケットを送信する際のあるべき状態を決定することに用いられ、前記端末装置がパケットを送信する際のあるべき状態は少なくとも２つの状態のいずれか１つであり、前記少なくとも２つの状態は前記端末装置及びネットワーク側装置がデータを伝送する際の異なる状態であるプロセッサ６２０と、
前記パケットを送信する際のあるべき状態で前記アクセスネットワーク装置に前記パケットを送信するための送受信機６３０と、を備える。
【手続補正１０】
【補正対象書類名】特許請求の範囲
【補正対象項目名】全文
【補正方法】変更
【補正の内容】
【特許請求の範囲】
【請求項１】
データ伝送方法であって、
アクセスネットワーク装置はコアネットワーク装置から送信された第一パケットを受信することと、
前記アクセスネットワーク装置は前記第一パケットを受信する際の端末装置のあるべき状態を決定し、前記第一パケットを受信する際の前記端末装置のあるべき状態は少なくとも２つの状態のいずれか１つであり、前記少なくとも２つの状態は前記端末装置及びネットワーク側装置がデータを伝送する際の異なる状態であることと、
前記アクセスネットワーク装置は前記端末装置に前記第一パケットを送信することと、を含むことを特徴とするデータ伝送方法。
【請求項２】
前記少なくとも２つの状態は、第一状態と第二状態とを含み、
前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わなく、
前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御することを特徴とする請求項１に記載の方法。
【請求項３】
前記方法は、更に、
前記アクセスネットワーク装置が前記コアネットワーク装置から前記第一パケットに対応するベアラ情報又はデータストリーム情報を取得することを含み、
前記アクセスネットワーク装置が前記第一パケットを受信する際の端末装置のあるべき状態を決定することは、
前記アクセスネットワーク装置が前記ベアラ情報又はデータストリーム情報に基づいて、前記第一パケットを受信する際の前記端末装置のあるべき状態を決定することを含むことを特徴とする請求項１又は２に記載の方法。
【請求項４】
前記アクセスネットワーク装置が前記コアネットワーク装置から前記第一パケットに対応するベアラ情報又はデータストリーム情報を取得することは、
前記アクセスネットワーク装置が前記ベアラ又はデータストリームの第一指示情報を取得することを含み、前記第一指示情報は前記ベアラ又は前記データストリームに対応するパケットを伝送する際の前記端末装置のあるべき状態を指示することに用いられ、
前記アクセスネットワーク装置が前記ベアラ情報又はデータストリーム情報に基づいて前記第一パケットを受信する際の前記端末装置のあるべき状態を決定することは、
前記アクセスネットワーク装置が前記第一指示情報に基づいて、前記第一パケットを受信する際の端末装置のあるべき状態を決定することを含むことを特徴とする請求項３に記載の方法。
【請求項５】
前記アクセスネットワーク装置が前記コアネットワーク装置から前記第一パケットに対応するベアラ情報又はデータストリーム情報を取得することは、
前記アクセスネットワーク装置が前記コアネットワーク装置から前記第一パケットに対応するベアラ又はデータストリームの属性情報を取得することを含み、
前記アクセスネットワーク装置が前記ベアラ情報又はデータストリーム情報に基づいて前記第一パケットを受信する際の前記端末装置のあるべき状態を決定することは、
前記アクセスネットワーク装置が前記ベアラ又はデータストリームの属性情報に基づいて前記第一パケットを受信する際の前記端末装置のあるべき状態を判断することを含み、
前記アクセスネットワーク装置が前記ベアラ又はデータストリームの属性情報に基づいて前記第一パケットを受信する際の前記端末装置のあるべき状態を判断することは、
前記アクセスネットワーク装置がデータ遅延、パケットサイズ、パケット送信時間間隔のうちの少なくとも１つに基づいて前記第一パケットを受信する際の前記端末装置のあるべき状態を判断することを含むことを特徴とする請求項３に記載の方法。
【請求項６】
前記方法は、更に、
前記アクセスネットワーク装置が前記コアネットワーク装置から第二指示情報を取得することを含み、前記第二指示情報は前記第一パケットを受信する際の前記端末装置のあるべき状態を指示することに用いられ、
前記アクセスネットワーク装置が前記第一パケットを受信する際の端末装置のあるべき状態を決定することは、
前記アクセスネットワーク装置が前記第二指示情報に基づいて前記第一パケットを受信する際の前記端末装置のあるべき状態を決定することを含むことを特徴とする請求項１又は２に記載の方法。
【請求項７】
前記第一パケットに前記第一パケットの第三指示情報を含めており、前記第三指示情報は前記第一パケットを受信する際の前記端末装置のあるべき状態を指示することに用いられ、前記方法は、更に、
前記アクセスネットワーク装置が前記第一パケットから前記第一パケットの第三指示情報を取得することを含み、
前記アクセスネットワーク装置が前記第一パケットを受信する際の端末装置のあるべき状態を決定することは、
前記アクセスネットワーク装置が前記第三指示情報に基づいて前記第一パケットを受信する際の前記端末装置のあるべき状態を決定することを含み、
前記第三指示情報を前記第一パケットのユーザプレーントンネリングプロトコルＧＴＰ−Ｕヘッダフィールドに含めていることを特徴とする請求項１又は２に記載の方法。
【請求項８】
前記アクセスネットワーク装置が前記第一パケットを受信する際の端末装置のあるべき状態を決定することは、
前記アクセスネットワーク装置が第二パケットに含まれている前記第一パケットの第四指示情報に基づいて前記第一パケットを受信する際の前記端末装置のあるべき状態を決定することを含み、前記第一パケットの第四指示情報は前記第一パケットを受信する際の前記端末装置のあるべき状態を指示することに用いられ、前記第二パケットは前記アクセスネットワーク装置が前記第一パケットを受信する前に受信したパケットであり、
前記第二パケットには前記第二パケットからのＮ個のパケットの第四指示情報を含めており、前記Ｎ個のパケットは前記第二パケット及び前記第一パケットを含み、Ｎは１より大きい整数であり、或いは
前記第二パケットには前記第二パケットからシリアル番号Ｎまでの複数のパケットの第四指示情報を含めており、前記複数のパケットは前記第二パケット及び前記第一パケットを含み、Ｎは１より大きい整数であり、
前記第四指示情報を前記第二パケットのＧＴＰ−Ｕヘッダフィールドに含めていることを特徴とする請求項１又は２に記載の方法。
【請求項９】
前記方法は、更に、
前記アクセスネットワーク装置が第五指示情報を前記端末装置に送信することを含み、前記第五指示情報は前記第一パケットを受信する際の前記端末装置のあるべき状態を指示することに用いられることを特徴とする請求項１〜８のいずれか一項に記載の方法。
【請求項１０】
データ伝送方法であって、
端末装置はアクセスネットワーク装置にパケットを送信する際のあるべき状態を決定し、前記端末装置がパケットを送信する際のあるべき状態は少なくとも２つの状態のいずれか１つであり、前記少なくとも２つの状態は前記端末装置及びネットワーク側装置がデータを伝送する際の異なる状態であることと、
前記端末装置は、前記パケットを送信する際のあるべき状態で、前記アクセスネットワーク装置に前記パケットを送信することと、を含むことを特徴とするデータ伝送方法。
【請求項１１】
前記少なくとも２つの状態は、第一状態と第二状態とを含み、
前記第一状態において、前記端末装置及び前記アクセスネットワーク装置が接続されるように維持し、前記端末装置及び前記アクセスネットワーク装置には前記端末装置のコンテクスト情報を記憶し、前記端末装置が前記アクセスネットワーク装置の属するアクセスネットワーク装置群内のすべてのアクセスネットワーク装置のカバレッジ範囲内に移動する際に、前記端末装置はセル再選択プロセスを実行し、前記端末装置はアクセスネットワーク装置のハンドオーバーを行わなく、
前記第二状態において、前記端末装置が前記アクセスネットワーク装置の属するアクセスネットワーク装置群内のすべてのアクセスネットワーク装置のカバレッジ範囲内に移動する際に、前記アクセスネットワーク装置は前記端末装置がアクセスネットワーク装置のハンドオーバーを行うように制御することを特徴とする請求項１０に記載の方法。
【請求項１２】
前記端末装置がパケットを送信する際のあるべき状態を決定することは、
前記端末装置が予め取得された前記パケットに対応するベアラ情報又はデータストリーム情報に基づいて前記パケットを送信する際のあるべき状態を決定することを含むことを特徴とする請求項１０又は１１に記載の方法。
【請求項１３】
前記端末装置が予め取得された前記パケットに対応するベアラ情報又はデータストリーム情報に基づいて前記第一パケットを送信する際のあるべき状態を決定することは、
前記端末装置が前記ベアラ又は前記データストリームの設定情報における第一指示情報に基づいて前記パケットを送信する際のあるべき状態を決定することを含み、前記第一指示情報は前記ベアラ又は前記データストリームに対応するパケットを伝送する際の前記端末装置のあるべき状態を指示することに用いられ、或いは
前記端末装置が予め設定されたベアラ情報又はデータストリーム情報に基づいて前記パケットを送信する際のあるべき状態を決定することは、
前記端末装置が前記ベアラ又は前記データストリームの属性情報に基づいて前記パケットを送信する際のあるべき状態を判断することを含み、
前記端末装置が前記ベアラ又は前記データストリームの属性情報に基づいて前記パケットを送信する際のあるべき状態を判断することは、
前記端末装置がデータ遅延、パケットサイズ、パケット送信時間間隔のうちの少なくとも１つに基づいて前記パケットを送信する際の前記端末装置のあるべき状態を判断することを含むことを特徴とする請求項１２に記載の方法。
【請求項１４】
アクセスネットワーク装置であって、  
プログラムを記憶するメモリと、
前記メモリに記憶される前記プログラムを実行し、前記プログラムを実行する時に、請求項１〜９のいずれか一項に記載の方法を実行するプロセッサとを備えることを特徴とするアクセスネットワーク装置。
【請求項１５】
端末装置であって、  
プログラムを記憶するメモリと、
前記メモリに記憶される前記プログラムを実行し、前記プログラムを実行する時に、請求項１０〜１３のいずれか一項に記載の方法を実行するプロセッサとを備えることを特徴とする端末装置。
【手続補正１１】
【補正対象書類名】図面
【補正対象項目名】図２
【補正方法】変更
【補正の内容】
【図２】
2019532527.tif 000010
【国際調査報告】
2019532527.tif 000011
2019532527.tif 000012
2019532527.tif 000013
2019532527.tif 000014